(57)【要約】【課題】複数の送信アンテナを備えた移動局装置が上りリンクの信号の送信方法を制御し、効率良く上りリンク制御情報を送信する。【解決手段】上りリンク制御情報の発生を管理する管理部４０５１と、前記管理部で発生した上りリンク制御情報を上りリンク制御チャネルに配置する配置部４０５３と、前記配置部で配置された前記上りリンク制御チャネルを複数の送信アンテナを用いたダイバーシチ送信方法、または単一の送信アンテナを用いた送信方法で送信する送信処理部４０７と、前記管理部で同時に発生した前記上りリンク制御情報の個数に応じて前記送信処理部で用いる送信方法を制御する制御部４０５と、を備える。【選択図】図４
2012005034.tif 000002
【特許請求の範囲】
【請求項１】
基地局装置に信号を複数の送信アンテナを用いて送信する移動局装置であって、
上りリンク制御情報の発生を管理する管理部と、
前記管理部で発生した上りリンク制御情報を上りリンク制御チャネルに配置する配置部と、
前記配置部で配置された前記上りリンク制御チャネルを複数の送信アンテナを用いたダイバーシチ送信方法、または単一の送信アンテナを用いた送信方法で送信する送信処理部と、
前記管理部で同時に発生した前記上りリンク制御情報の個数に応じて前記送信処理部で用いる送信方法を制御する制御部と、を有することを特徴とする移動局装置。
【請求項２】
前記制御部は、前記管理部で同時に発生した前記上りリンク制御情報の個数が１個の場合、前記上りリンク制御チャネルを複数の送信アンテナを用いたダイバーシチ送信方法で送信するように前記送信処理部を制御し、前記管理部で同時に発生した前記上りリンク制御情報の個数が複数個の場合、それぞれの前記上りリンク制御チャネルをそれぞれ異なる送信アンテナを使用して、単一の送信アンテナを用いた送信方法で送信するように前記送信処理部を制御することを特徴とする請求項１に記載の移動局装置。
【請求項３】
前記上りリンク制御情報は、受信されたデータに対する肯定応答または否定応答を示す制御情報、リソースの割り当ての要求を示す制御情報、受信品質を示す制御情報の何れかの種類の上りリンク制御情報であることを特徴とする請求項１に記載の移動局装置。
【請求項４】
前記制御部は、前記管理部において自装置が有する複数の送信アンテナの総数よりも多い数の上りリンク制御情報が発生した場合、前記送信アンテナの総数と等しい数の上りリンク制御情報を選択して、選択した前記上りリンク制御情報を前記送信処理部で送信するように制御することを特徴とする請求項１に記載の移動局装置。
【請求項５】
前記制御部は、予め決められた規則に従って、上りリンク制御情報の種類に応じて前記送信処理部で送信する上りリンク制御情報を選択することを特徴とする請求項４に記載の移動局装置。
【請求項６】
前記上りリンク制御情報は、受信されたデータに対する肯定応答または否定応答を示す制御情報、上りリンクのリソースの割り当ての要求を示す制御情報、受信品質を示す制御情報の何れかの種類の上りリンク制御情報であり、
前記制御部は、受信されたデータに対する肯定応答または否定応答を示す制御情報、次にリソースの割り当ての要求を示す制御情報、次に受信品質を示す制御情報の順に前記送信処理部で送信する上りリンク制御情報を選択することを特徴とする請求項５に記載の移動局装置。
【請求項７】
基地局装置に信号を複数の送信アンテナを用いて送信する移動局装置に用いられる送信方法において、
上りリンク制御情報の発生を管理するステップと、
発生した上りリンク制御情報を上りリンク制御チャネルに配置するステップと、
配置された前記上りリンク制御チャネルを複数の送信アンテナを用いたダイバーシチ送信方法、または単一の送信アンテナを用いた送信方法で送信するステップと、
同時に発生した前記上りリンク制御情報の個数に応じて用いる送信方法を制御するステップと、を少なくとも含むことを特徴とする送信方法。
【請求項８】
移動局装置に実装されることにより、前記移動局装置に複数の機能を発揮させる集積回路であって、
基地局装置に信号を複数の送信アンテナを用いて送信する機能と、
上りリンク制御情報の発生を管理する機能と、
発生した上りリンク制御情報を上りリンク制御チャネルに配置する機能と、
配置された前記上りリンク制御チャネルを複数の送信アンテナを用いたダイバーシチ送信方法、または単一の送信アンテナを用いた送信方法で送信する機能と、
同時に発生した前記上りリンク制御情報の個数に応じて用いる送信方法を制御する機能と、を含む一連の機能を、前記移動局装置に発揮させることを特徴とする集積回路。
【請求項９】
基地局装置に信号を複数の送信アンテナを用いて送信する移動局装置の制御プログラムであって、
上りリンク制御情報の発生を管理する処理と、
発生した上りリンク制御情報を上りリンク制御チャネルに配置する処理と、
配置された前記上りリンク制御チャネルを複数の送信アンテナを用いたダイバーシチ送信方法、または単一の送信アンテナを用いた送信方法で送信する処理と、
同時に発生した前記上りリンク制御情報の個数に応じて前記送信処理部で用いる送信方法を制御する処理と、制御部と、を含む一連の処理を、コンピュータに読み取り可能および実行可能にコマンド化したことを特徴とする制御プログラム。
【発明の詳細な説明】
【技術分野】
【０００１】
本発明は、複数の移動局装置と基地局装置から構成される無線通信システムにおいて、上りリンクの信号の送信方法を制御し、移動局装置が基地局装置に適した信号を送信することができる移動局装置、送信方法、集積回路および制御プログラムに関する。
【背景技術】
【０００２】
セルラー移動通信の無線アクセス方式および無線ネットワークの進化（以下、「Long Term Evolution (LTE)」、または、「Evolved Universal Terrestrial Radio Access (EUTRA)」と呼称する。）が、第三世代パートナーシッププロジェクト（3rd Generation Partnership Project: 3GPP）において検討されている。ＬＴＥでは、基地局装置（ＬＴＥでは、ｅＮＢと呼称される）から移動局装置（ＬＴＥでは、ＵＥと呼称される）への無線通信（下りリンク）の通信方式として、マルチキャリア送信である直交周波数分割多重（Orthogonal Frequency Division Multiplexing: OFDM）方式が用いられる。また、ＬＴＥでは、移動局装置から基地局装置への無線通信（上りリンク）の通信方式として、シングルキャリア送信であるＳＣ−ＦＤＭＡ（Single-Carrier Frequency Division Multiple Access）方式が用いられる。ＬＴＥでは、ＳＣ−ＦＤＭＡ方式としてＤＦＴ−Ｓｐｒｅａｄ  ＯＦＤＭ（Discrete Fourier Transform-Spread OFDM）方式が用いられる。ＬＴＥでは、上りリンクで移動局装置が信号の送信に用いる送信アンテナの数は１本である。
【０００３】
ＬＴＥで用いられるチャネルの種類としては、下りリンクのデータの送受信に用いられる物理下りリンク共用チャネル（Physical Downlink Shared CHannel: PDSCH）、下りリンクの制御情報の送受信に用いられる物理下りリンク制御チャネル（Physical Downlink Control CHannel: PDCCH）、上りリンクのデータの送受信に用いられる物理上りリンク共用チャネル（Physical Uplink Shared CHannel: PUSCH）、上りリンクの制御情報の送受信に用いられる物理上りリンク制御チャネル（Physical Uplink Control CHannel: PUCCH）、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等がある。移動局装置、または基地局装置は、制御情報、データなどから生成した信号を配置して各チャネルに配置して、送信する。
【０００４】
物理上りリンク制御チャネルに配置される制御情報は、上りリンク制御情報（Uplink Control Information: UCI）と呼称される。上りリンク制御情報は、受信された物理下りリンク共用チャネルに配置されたデータに対する肯定応答（Acknowledgement: ACK）または否定応答（Negative Acknowledgement: NACK）を示す制御情報（ACK/NACK）、または上りリンクのリソースの割り当ての要求を示す制御情報（Scheduling Request: SR）、または下りリンクの受信品質（チャネル品質とも呼称される）を示す制御情報（Channel Quality Indicator: CQI）である。
【０００５】
３ＧＰＰでは、移動局装置が複数の送信アンテナを用いて信号を送信し、ＬＴＥよりさらに高速なデータの通信、または信号の誤り品質の向上を上りリンクで実現する無線アクセス方式および無線ネットワーク（以下、「Long Term Evolution-Advanced (LTE-A)」、または、「Advanced Evolved Universal Terrestrial Radio Access (A-EUTRA)」と呼称する。）が検討されている。ＬＴＥ−Ａでは、ＰＵＣＣＨに対して複数の送信アンテナを用いたダイバーシチ送信方法（送信ダイバーシチとも呼称する）の適用が検討されている（非特許文献１）。移動局装置が用いるダイバーシチ送信方法として、移動局装置がＵＣＩを変調し、変調した信号に対して異なる直交符号を乗算した信号を複数生成し、直交符号を乗算した信号をそれぞれ異なる送信アンテナで送信する方法などが検討されている。
【０００６】
ＬＴＥ−Ａでは、ＬＴＥと同様の仕組みで移動局装置がＵＣＩを生成することが考えられている。ＣＱＩは、基地局装置より予め割り当てられたＰＵＣＣＨのタイミングに合わせて生成される。ＣＱＩ用のＰＵＣＣＨは、周期的なリソースが基地局装置より予め割り当てられる。ＳＲは、移動局装置が自装置のバッファに溜まったデータ量を考慮して、基地局装置に上りリンクのリソースの割り当てを要求すると判断した場合、基地局装置より予め割り当てられたＰＵＣＣＨのタイミングに合わせて生成される。ＳＲ用のＰＵＣＣＨは、周期的なリソースが基地局装置より予め割り当てられる。なお、移動局装置が基地局装置に上りリンクのリソースの割り当てを要求すると判断しなかった場合、ＳＲは基地局装置より予め割り当てられたＰＵＣＣＨに配置されて送信されることはなく、そのＰＵＣＣＨのタイミングに合わせて生成されない。ＡＣＫ／ＮＡＣＫは、移動局装置が基地局装置より受信した信号から自装置宛てのＰＤＣＣＨを検出したタイミングに合わせて生成される。ＡＣＫ／ＮＡＣＫ用のＰＵＣＣＨは、予め決められた規則に従って、ＰＤＣＣＨに用いられた下りリンクのリソースと対応した上りリンクのリソースが割り当てられる。ＰＤＣＣＨに用いられる可能性のあるリソースと、ＰＵＣＣＨに用いられる可能性のあるリソースは、予め番号付けが行われ、それらの番号の対応規則が予め決められている。なお、移動局装置が、ＡＣＫ／ＮＡＣＫとして肯定応答を示す制御情報を生成するか、否定応答を示す制御情報を生成するかは、ＰＤＣＣＨでリソースが示されたＰＤＳＣＨに配置されたデータに誤りが発見されなかったか、発見されたかに依存して行われる。
【先行技術文献】
【非特許文献】
【０００７】
【非特許文献１】3GPP TSG RAN1 #58、Shenzhen、China、23 - 28 August、2009、R1-093704“Way Forward for PUCCH Transmit Diversity Scheme”
【発明の概要】
【発明が解決しようとする課題】
【０００８】
基地局装置は、移動局装置の移動速度、データの品質（Quality of Service: QoS）、受信品質などに応じて、ＣＱＩ用のＰＵＣＣＨのリソースの周期の決定、ＳＲ用のＰＵＣＣＨのリソースの周期の決定、ＰＤＣＣＨの割り当て等を行う。更に、基地局装置は、管理エリア内の複数の移動局装置を考慮して、各移動局装置に対して異なるリソースのＰＵＣＣＨ、ＰＤＣＣＨを割り当てる必要がある。また、無線通信システムでＰＵＣＣＨ、ＰＤＣＣＨに用いられることができるリソースは有限である。そのため、移動局装置においてＡＣＫ／ＮＡＣＫ、ＳＲ、ＣＱＩが同時に発生しないように基地局装置がＰＵＣＣＨとＰＤＣＣＨの割り当てを完全に制御することは非常に困難であるという問題がある。
【０００９】
更に、移動局装置が異なる複数のＰＵＣＣＨの信号を非連続なサブキャリアに配置して、同一のＩＦＦＴ（Inverse Fast Fourier Transform; 高速逆フーリエ変換）処理を行って生成した信号はマルチキャリア信号となり、劣悪なピーク対平均電力比（Peak to Average Power Ratio: PAPR）特性を有する。電力増幅器が対応可能なダイナミックレンジが十分に広くない廉価な電力増幅器の場合、マルチキャリア信号は入力レベルが電力増幅器のダイナミックレンジ内に納まらず、適した波形として出力されない場合があるという問題がある。マルチキャリア信号の入力レベルが廉価な電力増幅器のダイナミックレンジ内に納まるようにするためには、送信電力に十分大きなバックオフをとる必要がある。その結果、平均的な送信電力が小さくなり、信号の品質の劣化を招いてしまうという問題がある。
【００１０】
本発明は上記の点に鑑みてなされたものであり、その目的は、複数の送信アンテナによるダイバーシチ送信を用いた無線通信システムにおいて、移動局装置が効率良く上りリンク制御情報を送信することができる移動局装置、送信方法、集積回路および制御プログラムを提供することを目的とする。
【課題を解決するための手段】
【００１１】
（１）上記の目的を達成するために、本発明は、以下のような手段を講じた。すなわち、本発明の移動局装置は、基地局装置に信号を複数の送信アンテナを用いて送信する移動局装置であって、上りリンク制御情報の発生を管理する管理部と、前記管理部で発生した上りリンク制御情報を上りリンク制御チャネルに配置する配置部と、前記配置部で配置された前記上りリンク制御チャネルを複数の送信アンテナを用いたダイバーシチ送信方法、または単一の送信アンテナを用いた送信方法で送信する送信処理部と、前記管理部で同時に発生した前記上りリンク制御情報の個数に応じて前記送信処理部で用いる送信方法を制御する制御部と、を有することを特徴とする。
【００１２】
このように、ＵＣＩを配置したＰＵＣＣＨの送信方法として複数の送信アンテナを用いたダイバーシチ送信方法、または単一の送信アンテナを用いた送信方法の何れかの送信方法を同時に発生したＵＣＩの個数に応じて制御することにより、移動局装置は送信するＵＣＩの個数に適した送信方法でＵＣＩを送信することができ、移動局装置が効率良くＵＣＩを送信することが可能となる。
【００１３】
（２）また、本発明の移動局装置において、前記制御部は、前記管理部で同時に発生した前記上りリンク制御情報の個数が１個の場合、前記上りリンク制御チャネルを複数の送信アンテナを用いたダイバーシチ送信方法で送信するように前記送信処理部を制御し、前記管理部で同時に発生した前記上りリンク制御情報の個数が複数個の場合、それぞれの前記上りリンク制御チャネルをそれぞれ異なる送信アンテナを使用して、単一の送信アンテナを用いた送信方法で送信するように前記送信処理部を制御することを特徴とする。
【００１４】
このように、同時に発生したＵＣＩの個数が１個の場合、ＵＣＩを配置したＰＵＣＣＨを複数の送信アンテナを用いたダイバーシチ送信方法で送信するように制御し、同時に発生したＵＣＩの個数が複数個の場合、異なるＵＣＩを配置した各ＰＵＣＣＨをそれぞれ異なる送信アンテナを使用して、単一の送信アンテナを用いた送信方法で送信するように制御することにより、移動局装置はＵＣＩをマルチキャリア信号で送信することを回避しつつ、可能な限りダイバーシチ送信方法でＵＣＩを送信することができ、移動局装置が効率良くＵＣＩを送信することが可能となる。
【００１５】
（３）また、本発明の移動局装置において、前記上りリンク制御情報は、受信されたデータに対する肯定応答または否定応答を示す制御情報、リソースの割り当ての要求を示す制御情報、受信品質を示す制御情報の何れかの種類の上りリンク制御情報であることを特徴とする。
【００１６】
このように、ＵＣＩはＡＣＫ／ＮＡＣＫ、ＳＲ、ＣＱＩの何れかの種類の制御情報であるので、ＡＣＫ／ＮＡＣＫ、ＳＲ、ＣＱＩの中で同時に発生したＵＣＩの個数に適した送信方法でＵＣＩを送信することができ、移動局装置が効率良くＵＣＩを送信することが可能となる。
【００１７】
（４）また、本発明の移動局装置において、前記制御部は、前記管理部において自装置が有する複数の送信アンテナの総数よりも多い数の上りリンク制御情報が発生した場合、前記送信アンテナの総数と等しい数の上りリンク制御情報を選択して、選択した前記上りリンク制御情報を前記送信処理部で送信するように制御することを特徴とする。
【００１８】
このように、送信アンテナの総数よりも多い数のＵＣＩが同時に発生した場合、送信アンテナの総数と等しい数のＵＣＩを選択して、送信することにより、移動局装置はＵＣＩをマルチキャリア信号で送信することを回避しつつ、可能な限りの個数のＵＣＩを送信することができ、移動局装置が効率良くＵＣＩを送信することが可能となる。
【００１９】
（５）また、本発明の移動局装置において、前記制御部は、予め決められた規則に従って、上りリンク制御情報の種類に応じて前記送信処理部で送信する上りリンク制御情報を選択することを特徴とする。
【００２０】
このように、予め決められた規則に従って、ＵＣＩの種類に応じて送信するＵＣＩを選択することにより、優先度の高い種類のＵＣＩを確実に送信することができ、移動局装置が効率良くＵＣＩを送信することが可能となる。
【００２１】
（６）また、本発明の移動局装置において、前記上りリンク制御情報は、受信されたデータに対する肯定応答または否定応答を示す制御情報、上りリンクのリソースの割り当ての要求を示す制御情報、受信品質を示す制御情報の何れかの種類の上りリンク制御情報であり、前記制御部は、受信されたデータに対する肯定応答または否定応答を示す制御情報、次にリソースの割り当ての要求を示す制御情報、次に受信品質を示す制御情報の順に前記送信処理部で送信する上りリンク制御情報を選択することを特徴とする。
【００２２】
このように、ＵＣＩはＡＣＫ／ＮＡＣＫ、ＳＲ、ＣＱＩの何れかの種類の制御情報であり、ＡＣＫ／ＮＡＣＫ、ＳＲ、ＣＱＩの順に送信するＵＣＩを選択することにより、基地局装置において不必要なデータの再送が行なわれることを回避し、出来る限り移動局装置にリソースが割り当てられるまでの時間を短縮することができ、移動局装置が効率良くＵＣＩを送信することが可能となる。
【００２３】
（７）また、本発明の送信方法は、基地局装置に信号を複数の送信アンテナを用いて送信する移動局装置に用いられる送信方法において、上りリンク制御情報の発生を管理するステップと、発生した上りリンク制御情報を上りリンク制御チャネルに配置するステップと、配置された前記上りリンク制御チャネルを複数の送信アンテナを用いたダイバーシチ送信方法、または単一の送信アンテナを用いた送信方法で送信するステップと、同時に発生した前記上りリンク制御情報の個数に応じて用いる送信方法を制御するステップと、を少なくとも含むことを特徴とする。
【００２４】
このように、ＵＣＩを配置したＰＵＣＣＨの送信方法として複数の送信アンテナを用いたダイバーシチ送信方法、または単一の送信アンテナを用いた送信方法の何れかの送信方法を同時に発生したＵＣＩの個数に応じて制御することにより、移動局装置は送信するＵＣＩの個数に適した送信方法でＵＣＩを送信することができ、移動局装置が効率良くＵＣＩを送信することが可能となる。
【００２５】
（８）また、本発明の集積回路は、移動局装置に実装されることにより、前記移動局装置に複数の機能を発揮させる集積回路であって、基地局装置に信号を複数の送信アンテナを用いて送信する機能と、
上りリンク制御情報の発生を管理する機能と、発生した上りリンク制御情報を上りリンク制御チャネルに配置する機能と、配置された前記上りリンク制御チャネルを複数の送信アンテナを用いたダイバーシチ送信方法、または単一の送信アンテナを用いた送信方法で送信する機能と、同時に発生した前記上りリンク制御情報の個数に応じて用いる送信方法を制御する機能と、を含む一連の機能を、前記移動局装置に発揮させることを特徴とする。
【００２６】
このように、ＵＣＩを配置したＰＵＣＣＨの送信方法として複数の送信アンテナを用いたダイバーシチ送信方法、または単一の送信アンテナを用いた送信方法の何れかの送信方法を同時に発生したＵＣＩの個数に応じて制御することにより、移動局装置は送信するＵＣＩの個数に適した送信方法でＵＣＩを送信することができ、移動局装置が効率良くＵＣＩを送信することが可能となる。
【００２７】
（９）また、本発明の制御プログラムは、基地局装置に信号を複数の送信アンテナを用いて送信する移動局装置の制御プログラムであって、上りリンク制御情報の発生を管理する処理と、発生した上りリンク制御情報を上りリンク制御チャネルに配置する処理と、配置された前記上りリンク制御チャネルを複数の送信アンテナを用いたダイバーシチ送信方法、または単一の送信アンテナを用いた送信方法で送信する処理と、同時に発生した前記上りリンク制御情報の個数に応じて前記送信処理部で用いる送信方法を制御する処理と、制御部と、を含む一連の処理を、コンピュータに読み取り可能および実行可能にコマンド化したことを特徴とする。
【００２８】
このように、ＵＣＩを配置したＰＵＣＣＨの送信方法として複数の送信アンテナを用いたダイバーシチ送信方法、または単一の送信アンテナを用いた送信方法の何れかの送信方法を同時に発生したＵＣＩの個数に応じて制御することにより、移動局装置は送信するＵＣＩの個数に適した送信方法でＵＣＩを送信することができ、移動局装置が効率良くＵＣＩを送信することが可能となる。
【発明の効果】
【００２９】
この発明によれば、移動局装置が効率良く上りリンク制御情報を送信することができる。
【図面の簡単な説明】
【００３０】
【図１】本発明の実施形態に係る基地局装置３の構成を示す概略ブロック図である。
【図２】本発明の実施形態に係る基地局装置３の送信処理部１０７の構成を示す概略ブロック図である。
【図３】本発明の実施形態に係る基地局装置３の受信処理部１０１の構成を示す概略ブロック図である。
【図４】本発明の実施形態に係る移動局装置５の構成を示す概略ブロック図である。
【図５】本発明の実施形態に係る移動局装置５の受信処理部４０１の構成を示す概略ブロック図である。
【図６】本発明の実施形態に係る移動局装置５の送信処理部４０７の構成を示す概略ブロック図である。
【図７】本発明の実施形態に係る無線通信システムのＰＤＣＣＨとＣＣＥの論理的な関係を説明する図である。
【図８】本発明の実施形態に係る無線通信システムの下りリンク無線フレームにおけるリソースエレメントグループの配置例を示す図である。
【図９】本発明の実施形態に係る無線通信システムのＡＣＫ／ＮＡＣＫ用のＰＵＣＣＨの構成と番号を示す図である。
【図１０】本発明の実施形態に係る移動局装置５の複数の送信アンテナを用いてダイバーシチ送信せず、ＰＵＣＣＨを単一の送信アンテナを用いて送信する送信方法が設定されている場合のＵＣＩの送信例を説明する図である。
【図１１】本発明の実施形態に係る移動局装置５の複数の送信アンテナを用いてダイバーシチ送信するダイバーシチ送信方法が設定されている場合のＵＣＩの送信例を説明する図である。
【図１２】本発明の実施形態に係る移動局装置５の、ＰＵＣＣＨの送信を行う処理の一例を示すフローチャートである。
【図１３】本発明の実施形態に係る無線通信システムの全体像についての概略を説明する図である。
【図１４】本発明の実施形態に係る基地局装置３から移動局装置５への下りリンクの無線フレームの概略構成を示す図である。
【図１５】本発明の実施形態に係る移動局装置５から基地局装置３への上りリンクの無線フレームの概略構成を示す図である。
【発明を実施するための形態】
【００３１】
以下、図面を参照しながら本発明の実施形態について詳しく説明する。まず、図１３〜図１５を用いて、本実施形態に係る無線通信システムの全体像、および無線フレームの構成について説明する。次に、図１〜図６を用いて、本実施形態に係る無線通信システムの構成について説明する。次に、図７〜図１２を用いて、本実施形態に係る無線通信システムの動作処理について説明する。
【００３２】
＜無線通信システムの全体像＞
図１３は、本発明の実施形態に係る無線通信システムの全体像についての概略を説明する図である。この図が示す無線通信システム１は、基地局装置３と、複数の移動局装置５Ａ、５Ｂ、５Ｃとが無線通信を行なう。また、この図は、基地局装置３から移動局装置５Ａ、５Ｂ、５Ｃへの通信方向である下りリンク（DL: DownLinkとも呼称する。）が、下りリンクパイロットチャネル、物理下りリンク制御チャネル（PDCCH: Physical Downlink Control CHannelとも呼称する。）、および物理下りリンク共用チャネル（PDSCH: Physical Downlink Shared CHannelとも呼称する。）を含んで構成されることを示す。また、この図は、移動局装置５Ａ、５Ｂ、５Ｃから基地局装置３への通信方向である上りリンク（UL:UpLinkとも呼称する。）が、物理上りリンク共用チャネル（PUSCH: Physical Uplink Shared CHannelとも呼称する。）、上りリンクパイロットチャネル、および物理上りリンク制御チャネル（PUCCH: Physical Uplink Control CHannelとも呼称する。）を含んで構成されることを示す。また、基地局装置３が管轄するエリアのことをセルと呼ぶ。以下、本実施形態において、移動局装置５Ａ、５Ｂ、５Ｃを移動局装置５と呼び、説明を行なう。
【００３３】
＜下りリンク無線フレームの構成＞
図１４は、本発明の実施形態に係る基地局装置３から移動局装置５への下りリンクの無線フレーム（下りリンク無線フレームと呼称する。）の概略構成を示す図である。この図において、横軸は時間領域、縦軸は周波数領域を表している。下りリンク無線フレームは、リソース割り当てなどの単位であり、下りリンクの予め決められた幅の周波数帯および時間帯からなるリソースブロック（RB）（物理リソースブロックPRB: Physical Resource Blockとも呼称する。）のペア（物理リソースブロックペアPRB pairと呼称する。）から構成される。１個の下りリンクの物理リソースブロックペア（下りリンク物理リソースブロックペアと呼称する。）は下りリンクの時間領域で連続する２個の物理リソースブロック（下りリンク物理リソースブロックと呼称する。）から構成される。
【００３４】
また、この図において、１個の下りリンク物理リソースブロックは、下りリンクの周波数領域において１２個のサブキャリア（下りリンクサブキャリアと呼称する。）から構成され、時間領域において７個のＯＦＤＭ（OFDM: Orthogonal Frequency Division Multiplexing）シンボルから構成される。下りリンクのシステム帯域（下りリンクシステム帯域と呼称する。）は、基地局装置３の下りリンクの通信帯域である。例えば、下りリンクのシステム帯域幅（下りリンクシステム帯域幅と呼称する。）は、２０ＭＨｚの帯域幅で構成される。なお、下りリンクシステム帯域では下りリンクシステム帯域幅に応じて複数の下りリンク物理リソースブロックが配置される。例えば、２０ＭＨｚの帯域幅の下りリンクシステム帯域は、１００個の下りリンク物理リソースブロックから構成される。
【００３５】
また、この図が示す時間領域においては、７個のＯＦＤＭシンボルから構成されるスロット（下りリンクスロットと呼称する。）、２個の下りリンクスロットから構成されるサブフレーム（下りリンクサブフレームと呼称する。）、１０個の下りリンクサブフレームから構成される下りリンク無線フレームがある。なお、１個の下りリンクサブキャリアと１個のＯＦＤＭシンボルから構成されるユニットをリソースエレメント（RE）（下りリンクリソースエレメントと呼称する。）と呼ぶ。各下りリンクサブフレームには少なくとも、情報データ（トランスポートブロックTB: Transport Blockとも呼称する。）の送信に用いられるＰＤＳＣＨ、制御情報の送信に用いられるＰＤＣＣＨが配置される。この図においては、ＰＤＣＣＨは下りリンクサブフレームの１番目から３番目までのＯＦＤＭシンボルから構成され、ＰＤＳＣＨは下りリンクサブフレームの４番目から１４番目までのＯＦＤＭシンボルから構成される。
【００３６】
この図において図示は省略するが、下りリンクの参照信号（Reference signal: RS）（下りリンク参照信号と呼称する。Cell specific RS、DL RSとも呼称する。）の送信に用いられる下りリンクパイロットチャネルが複数の下りリンクリソースエレメントに分散して配置される。ここで、下りリンク参照信号は、ＰＤＳＣＨおよびＰＤＣＣＨの伝搬路変動の推定に用いられる、無線通信システム１において既知の信号である。なお、下りリンク参照信号を構成する下りリンクリソースエレメントの数は、基地局装置３において移動局装置５への通信に用いられる送信アンテナの数に依存する。
【００３７】
なお、１個のＰＤＳＣＨは下りリンクシステム帯域内の１個以上の下りリンク物理リソースブロックから構成され、１個のＰＤＣＣＨは下りリンクシステム帯域内の複数の下りリンクリソースエレメントから構成される。ＰＤＣＣＨの詳細な構成は後述する。下りリンクシステム帯域内で複数のＰＤＳＣＨ、複数のＰＤＣＣＨが配置される。基地局装置３は、１つの移動局装置５に対して同一の下りリンクサブフレームで１個のＰＤＣＣＨと１個のＰＤＳＣＨを配置することができる。
【００３８】
ＰＤＣＣＨは、ＰＤＳＣＨに対する下りリンク物理リソースブロックの割り当てを示す情報、ＰＵＳＣＨに対する上りリンクの物理リソースブロックの割り当てを示す情報、移動局識別子（ＲＮＴＩ: Radio Network Temporary Identifierとも呼称する。）、変調方式、符号化率、再送パラメータ、マルチアンテナ関連情報などの制御情報から生成された信号が配置される。ＰＤＣＣＨに含まれる制御情報を下りリンク制御情報（DCI: Downlink Control Information）と称す。ＰＤＳＣＨに対する下りリンク物理リソースブロックの割り当てを示す情報を含むＤＣＩは下りリンクアサインメント（Downlink assignment。Downlink grantとも呼称する。）と称し、ＰＵＳＣＨに対する上りリンク物理リソースブロックの割り当てを示す情報を含むＤＣＩは上りリンクグラント（Uplink grant）と称す。なお、１個のＰＤＣＣＨは、１個のＰＤＳＣＨのリソースの割り当てを示す情報、または１個のＰＵＳＣＨのリソースの割り当てを示す情報しか含まず、複数のＰＤＳＣＨのリソースの割り当てを示す情報、または複数のＰＵＳＣＨのリソースの割り当てを示す情報を含まない。
【００３９】
＜上りリンク無線フレームの構成＞
図１５は、本発明の実施形態に係る移動局装置５から基地局装置３への上りリンクの無線フレーム（上りリンク無線フレームと呼称する。）の概略構成を示す図である。この図において、横軸は時間領域、縦軸は周波数領域を表している。上りリンク無線フレームは、リソース割り当てなどの単位であり、上りリンクの予め決められた幅の周波数帯および時間帯からなる物理リソースブロックのペア（上りリンク物理リソースブロックペアと呼称する。）から構成される。１個の上りリンク物理リソースブロックペアは、上りリンクの時間領域で連続する２個の上りリンクの物理リソースブロック（上りリンク物理リソースブロックと呼称する。）から構成される。
【００４０】
また、この図において、１個の上りリンク物理リソースブロックは、上りリンクの周波数領域において１２個のサブキャリア（上りリンクサブキャリアと呼称する。）から構成され、時間領域において７個のＳＣ−ＦＤＭＡ（Single-Carrier Frequency Division Multiple Access）シンボルから構成される。上りリンクのシステム帯域（上りリンクシステム帯域と呼称する。）は、基地局装置３の上りリンクの通信帯域である。例えば、上りリンクのシステム帯域幅（上りリンクシステム帯域幅と呼称する。）は２０ＭＨｚの帯域幅で構成される。なお、上りリンクシステム帯域では上りリンクシステム帯域幅に応じて複数の上りリンク物理リソースブロックが配置される。例えば、２０ＭＨｚの帯域幅の上りリンクシステム帯域は、１００個の上りリンク物理リソースブロックから構成される。
【００４１】
また、この図が示す時間領域においては、７個のＳＣ−ＦＤＭＡシンボルから構成されるスロット（上りリンクスロットと呼称する。）、２個の上りリンクスロットから構成されるサブフレーム（上りリンクサブフレームと呼称する。）、１０個の上りリンクサブフレームから構成される上りリンク無線フレームがある。なお、１個の上りリンクサブキャリアと１個のＳＣ−ＦＤＭＡシンボルから構成されるユニットをリソースエレメント（上りリンクリソースエレメントと呼称する。）と称す。
【００４２】
各上りリンクサブフレームには、少なくとも情報データの送信に用いられるＰＵＳＣＨ、上りリンク制御情報（UCI: Uplink Control Information）の送信に用いられるＰＵＣＣＨが配置される。ＰＵＣＣＨは、ＰＤＳＣＨを用いて受信されたデータに対する肯定応答（ACK: Acknowledgement）または否定応答（NACK: Negative Acknowledgement）を示す制御情報（ACK/NACK）、リソースの割り当ての要求を示す制御情報（SR: Scheduling Request、スケジューリング要求）、下りリンクの受信品質（チャネル品質とも呼称する。）を示す制御情報（CQI: Channel Quality Indicator、チャネル品質指標）を送信するために用いられる。また、ＰＵＣＣＨは、下りリンクのチャネル状態を示す制御情報（CSI: Channel State Information、チャネル状態情報）を送信するためにも用いられてもよい。また、ＰＵＣＣＨは、ＡＣＫ／ＮＡＣＫからなるＵＣＩを送信する場合と、ＳＲからなるＵＣＩを送信する場合とＣＱＩからなるＵＣＩを送信する場合とで異なる種類の信号構成が用いられる。
【００４３】
なお、１個のＰＵＳＣＨは上りリンクシステム帯域内の１個以上の上りリンク物理リソースブロックから構成され、１個のＰＵＣＣＨは上りリンクシステム帯域内において周波数領域に対称関係にあり、異なる上りリンクスロットに位置する２個の上りリンク物理リソースブロックから構成される。例えば、図１５において、上りリンクサブフレーム内において、一番目の上りリンクスロットの最も周波数が低い上りリンク物理リソースブロックと、二番目の上りリンクスロットの最も周波数が高い上りリンク物理リソースブロックとにより、ＰＵＣＣＨに用いられる上りリンク物理リソースブロックペアの１個が構成される。上りリンクシステム帯域内で１個以上のＰＵＳＣＨ、１個以上のＰＵＣＣＨが配置される。
【００４４】
上りリンクパイロットチャネルは、ＰＵＳＣＨと同じ上りリンク物理リソースブロック内に配置される場合と、ＰＵＣＣＨと同じ上りリンク物理リソースブロック内に配置される場合とで異なるＳＣ−ＦＤＭＡシンボルに配置される。上りリンクパイロットチャネルは、上りリンク参照信号（UL RS: Uplink Reference Signal）を送信するために用いられる。ここで、上りリンク参照信号とは、ＰＵＳＣＨおよびＰＵＣＣＨの伝搬路変動の推定に用いられる、無線通信システム１において既知の信号である。
【００４５】
上りリンクパイロットチャネルは、ＰＵＳＣＨと同じ上りリンク物理リソースブロック内に配置される場合、上りリンクスロット内の４番目のＳＣ−ＦＤＭＡシンボルに配置される。上りリンクパイロットチャネルは、ＡＣＫ／ＮＡＣＫからなるＵＣＩを含むＰＵＣＣＨと同じ上りリンク物理リソースブロック内に配置される場合、上りリンクスロット内の３番目と４番目と５番目のＳＣ−ＦＤＭＡシンボルに配置される。上りリンクパイロットチャネルは、ＳＲからなるＵＣＩを含むＰＵＣＣＨと同じ上りリンク物理リソースブロック内に配置される場合、上りリンクスロット内の３番目と４番目と５番目のＳＣ−ＦＤＭＡシンボルに配置される。上りリンクパイロットチャネルは、ＣＱＩからなるＵＣＩを含むＰＵＣＣＨと同じ上りリンク物理リソースブロック内に配置される場合、上りリンクスロット内の２番目と６番目のＳＣ−ＦＤＭＡシンボルに配置される。
【００４６】
この図では、ＰＵＣＣＨが上りリンクシステム帯域の最も端の上りリンク物理リソースブロックに配置された場合を示しているが、上りリンクシステム帯域の端から２番目、３番目などの上りリンク物理リソースブロックがＰＵＣＣＨに用いられてもよい。
【００４７】
なお、ＰＵＣＣＨにおいて周波数領域での符号多重、時間領域での符号多重が用いられる。複数のＰＵＣＣＨが同一の上りリンク物理リソースブロックに配置され、各ＰＵＣＣＨは異なる符号が割り当てられ、割り当てられた符号により周波数領域、または時間領域において符号多重が実現される。ＡＣＫ／ＮＡＣＫからなるＵＣＩを送信するために用いられるＰＵＣＣＨにおいては、周波数領域及び時間領域での符号多重が用いられる。ＳＲからなるＵＣＩを送信するために用いられるＰＵＣＣＨにおいては、周波数領域及び時間領域での符号多重が用いられる。ＣＱＩからなるＵＣＩを送信するために用いられるＰＵＣＣＨにおいては、周波数領域での符号多重が用いられる。なお、説明の簡略化のため、ＰＵＣＣＨの符号多重に係る内容の説明は適宜省略する。
【００４８】
ＰＤＳＣＨは、時間領域において、ＰＤＳＣＨのリソース割り当ての情報であるＤＬ  ａｓｓｉｇｎｍｅｎｔを含むＰＤＣＣＨと同一の下りリンクサブフレームに配置される。
【００４９】
＜基地局装置３の全体構成＞
以下、図１、図２、図３を用いて、本実施形態に係る基地局装置３の構成について説明する。図１は、本発明の実施形態に係る基地局装置３の構成を示す概略ブロック図である。この図に示すように、基地局装置３は、受信処理部１０１、無線リソース制御部１０３、制御部１０５、および、送信処理部１０７を含んで構成される。
【００５０】
受信処理部１０１は、制御部１０５の指示に従い、受信アンテナ１０９により移動局装置５から受信した、ＰＵＣＣＨ、ＰＵＳＣＨの受信信号を上りリンク参照信号を用いて復調し、復号して、制御情報（ＵＣＩ）、情報データを抽出する。受信処理部１０１は、自装置が移動局装置５にＰＵＣＣＨのリソースを割り当てた上りリンクサブフレーム、上りリンク物理リソースブロックの信号に対してＵＣＩを抽出する処理を行なう。受信処理部１０１は、何れの上りリンクサブフレーム、何れの上りリンク物理リソースブロックの信号に対してどのような処理を行なうかを制御部１０５から指示される。例えば、受信処理部１０１は、ＰＵＣＣＨの受信信号に対して、ダイバーシチ送信された複数のＰＵＣＣＨの信号を合成してＵＣＩを検出する処理を行い、またはそれぞれ単一の送信アンテナを用いて送信された複数のＰＵＣＣＨの信号を合成せずにＵＣＩを検出する処理を行う。なお、受信処理部１０１は、ＰＵＣＣＨの信号からＵＣＩを検出する処理に関して、何れの周波数領域の符号の信号、何れの時間領域の符号の信号に対してどのような処理を行なうかも制御部１０５から指示される。受信処理部１０１は、検出したＵＣＩを制御部１０５に出力し、情報データを上位層に出力する。受信処理部１０１の詳細については、後述する。
【００５１】
無線リソース制御部１０３は、移動局装置５各々のＰＤＣＣＨに対する下りリンクリソースエレメントの割り当て、ＰＵＣＣＨに対する上りリンクリンク物理リソースブロックの割り当て、ＰＵＣＣＨの送信方法、ＰＤＳＣＨに対する下りリンク物理リソースブロックの割り当て、ＰＵＳＣＨに対する上りリンク物理リソースブロックの割り当て、各種チャネルの変調方式・符号化率・送信電力制御値などを設定する。なお、無線リソース制御部１０３は、ＰＵＣＣＨに対する周波数領域の符号、時間領域の符号なども設定する。ＰＵＣＣＨの送信方法は、ＰＵＣＣＨを複数の送信アンテナを用いてダイバーシチ送信するダイバーシチ送信方法、または複数の送信アンテナを用いてダイバーシチ送信せず、ＰＵＣＣＨを１本の送信アンテナを用いて送信する送信方法である。なお、ＰＵＣＣＨを１本の送信アンテナを用いて送信する送信方法では、上りリンクサブフレームでは１個のＰＵＣＣＨのみが配置される。また、無線リソース制御部１０３は、設定したＰＵＣＣＨのリソースの割り当てを示す情報、ＰＵＣＣＨの送信方法を示す情報などを制御部１０５に出力する。
【００５２】
また、無線リソース制御部１０３は、受信処理部１０１においてＰＵＣＣＨの信号から取得され、制御部１０５を介して入力されたＵＣＩに基づいてＰＤＳＣＨのリソースの割り当てなどを設定する。例えば、無線リソース制御部１０３は、ＵＣＩとしてＡＣＫ／ＮＡＣＫを入力された場合、ＡＣＫ／ＮＡＣＫでＮＡＣＫが示されたＰＤＳＣＨのリソースの割り当てを移動局装置５に対して行なう。例えば、無線リソース制御部１０３は、ＵＣＩとしてＳＲを入力された場合、ＰＵＳＣＨのリソースの割り当てを移動局装置５に対して行なう。例えば、無線リソース制御部１０３は、ＵＣＩとしてＣＱＩを入力された場合、ＰＤＳＣＨのリソースの割り当てに、チャネル品質の良い下りリンク物理リソースブロックを移動局装置５に対して割り当てる。
【００５３】
無線リソース制御部１０３は、各種制御信号を制御部１０５に出力する。例えば、制御信号は、ＰＵＣＣＨのリソースの割り当てを示す制御信号や、受信処理部１０１で受信したＰＵＣＣＨの信号に対して行なわれる検出処理を示す制御信号である。なお、無線リソース制御部１０３は、リソースを割り当てるＵＣＩの種類毎のＰＵＣＣＨのリソースの割り当てを示す制御信号を制御部１０５に出力する。例えば、ＳＲ用のＰＵＣＣＨのリソースとして上りリンクサブフレーム、上りリンク物理リソースブロック、周波数領域の符号、時間領域の符号を示す制御信号が用いられる。例えば、ＣＱＩ用のＰＵＣＣＨのリソースとして上りリンクサブフレーム、上りリンク物理リソースブロック、周波数領域の符号を示す制御信号が用いられる。例えば、ＡＣＫ／ＮＡＣＫ用のＰＵＣＣＨのリソースとして上りリンクサブフレーム、上りリンク物理リソースブロック、周波数領域の符号、時間領域の符号を示す制御信号が用いられる。例えば、ＰＵＣＣＨの信号に対して行なわれる検出処理として複数の送信アンテナを用いてダイバーシチ送信された複数のＰＵＣＣＨの信号を合成してＵＣＩを検出する処理、またはそれぞれ単一の送信アンテナを用いて送信された複数のＰＵＣＣＨの信号を合成せずにＵＣＩを検出する処理、または１本の送信アンテナを用いて送信された１個のＰＵＣＣＨの信号からＵＣＩを検出する処理を示す制御信号が用いられる。
【００５４】
制御部１０５は、無線リソース制御部１０３から入力された制御信号に基づき、ＰＤＳＣＨに対する下りリンク物理リソースブロックの割り当て、ＰＤＣＣＨに対する下りリンクリソースエレメントの割り当て、ＰＤＳＣＨに対する変調方式の設定、ＰＤＳＣＨおよびＰＤＣＣＨに対する符号化率の設定などの制御を送信処理部１０７に対して行なう。また、制御部１０５は、制御信号に基づき、ＰＤＣＣＨを用いて送信される制御情報（ＤＣＩ）を生成し、送信処理部１０７に出力する。ＰＤＣＣＨを用いて送信される制御情報は、ＤＬ  ａｓｓｉｇｎｍｅｎｔ、ＵＬ  ｇｒａｎｔなどのＤＣＩである。また、制御部１０５は、ＰＵＣＣＨのリソースの割り当てを示す情報、ＰＵＣＣＨの送信方法を示す情報などを送信処理部１０７を介して移動局装置５にＰＤＳＣＨを用いて送信するように制御を行なう。
【００５５】
制御部１０５は、無線リソース制御部１０３から入力された制御信号に基づき、ＰＵＳＣＨに対する上りリンク物理リソースブロックの割り当て、ＰＵＣＣＨに対する上りリンク物理リソースブロックの割り当て、ＰＵＳＣＨおよびＰＵＣＣＨの変調方式の設定、ＰＵＳＣＨの符号化率の設定などの制御を受信処理部１０１に対して行なう。なお、制御部１０５は、ＰＵＣＣＨに対する周波数領域の符号、時間領域の符号の設定などの制御も受信処理部１０１に対して行なう。また、制御部１０５は、移動局装置５によってＰＵＣＣＨを用いて送信されたＵＣＩが受信処理部１０１より入力され、入力されたＵＣＩを無線リソース制御部１０３に出力する。
【００５６】
また、制御部１０５は、無線リソース制御部１０３から入力された制御信号などに基づき、ＰＵＣＣＨにおいて送信されるＵＣＩの検出に用いる処理の設定を受信処理部１０１に対して行なう。例えば、制御部１０５は、ＰＵＣＣＨの送信方法としてＰＵＣＣＨを単一の送信アンテナを用いて送信する送信方法を示す情報が無線リソース制御部１０３から入力されている場合、受信処理部１０１に対して複数のＰＵＣＣＨの信号を合成せずにＵＣＩを検出する処理を設定する。例えば、制御部１０５は、ＰＵＣＣＨの送信方法として複数の送信アンテナを用いてダイバーシチ送信するダイバーシチ送信方法を示す情報が無線リソース制御部１０３から入力され、同一上りリンクサブフレームで単一の種類のＵＣＩのＰＵＣＣＨのリソースの割り当てを示す制御信号が入力されている場合、受信処理部１０１に対してダイバーシチ送信される複数のＰＵＣＣＨの信号を合成してＵＣＩを検出する処理を設定する。なお、制御部１０５は、無線リソース制御部１０３より、リソースが割り当てられるＵＣＩの種類毎のＰＵＣＣＨのリソースの割り当てを示す制御信号が入力される。例えば、制御部１０５は、ＰＵＣＣＨの送信方法として複数の送信アンテナを用いてダイバーシチ送信するダイバーシチ送信方法を示す情報が無線リソース制御部１０３から入力され、同一上りリンクサブフレームで複数の種類のＵＣＩのＰＵＣＣＨのリソースの割り当てを示す制御信号が入力されている場合、受信処理部１０１に対してそれぞれ単一の送信アンテナを用いて送信される複数のＰＵＣＣＨの信号を合成せずにＵＣＩを検出する処理を設定する。また、制御部１０５は、ＰＵＣＣＨの送信方法として複数の送信アンテナを用いてダイバーシチ送信するダイバーシチ送信方法を示す情報が無線リソース制御部１０３から入力され、同一上りリンクサブフレームで複数の種類のＵＣＩのＰＵＣＣＨのリソースの割り当てを示す制御信号が入力されている場合、受信処理部１０１に対してダイバーシチ送信された複数のＰＵＣＣＨの信号を合成してＵＣＩを検出する処理と、それぞれ単一の送信アンテナを用いて送信される複数のＰＵＣＣＨの信号を合成せずにＵＣＩを検出する処理の両方を設定する。ＰＵＣＣＨに用いるＵＣＩの検出処理の詳細は後述する。
【００５７】
送信処理部１０７は、制御部１０５から入力された制御信号に基づきＰＤＣＣＨ、ＰＤＳＣＨを用いて送信する信号を生成して、送信アンテナ１１１を介して送信する。送信処理部１０７は、無線リソース制御部１０３から入力された、ＰＵＣＣＨのリソースの割り当てを示す情報、ＰＵＣＣＨの送信方法を示す情報、上位層から入力された情報データなどをＰＤＳＣＨを用いて移動局装置５に対して送信し、制御部１０５から入力されたＤＣＩをＰＤＣＣＨを用いて移動局装置５に対して送信する。なお、説明の簡略化のため、以降、情報データは数種の制御に関する情報を含むものとする。送信処理部１０７の詳細については、後述する。
【００５８】
＜基地局装置３の送信処理部１０７の構成＞
以下、基地局装置３の送信処理部１０７の詳細について説明する。図２は、本発明の実施形態に係る基地局装置３の送信処理部１０７の構成を示す概略ブロック図である。この図に示すように、送信処理部１０７は、複数の物理下りリンク共用チャネル処理部２０１−１〜２０１−Ｍ（以下、物理下りリンク共用チャネル処理部２０１−１〜２０１−Ｍを合わせて物理下りリンク共用チャネル処理部２０１と表す）、複数の物理下りリンク制御チャネル処理部２０３−１〜２０３−Ｍ（以下、物理下りリンク制御チャネル処理部２０３−１〜２０３−Ｍを合わせて物理下りリンク制御チャネル処理部２０３と表す）、下りリンクパイロットチャネル処理部２０５、多重部２０７、ＩＦＦＴ（Inverse Fast Fourier Transform；高速逆フーリエ変換）部２０９、ＧＩ（Guard Interval；ガードインターバル）挿入部２１１、Ｄ／Ａ（Digital/Analog；ディジタルアナログ変換）部２１３、送信ＲＦ（Radio Frequency
；無線周波数）部２１５、および、送信アンテナ１１１を含んで構成される。なお、各物理下りリンク共用チャネル処理部２０１、各物理下りリンク制御チャネル処理部２０３は、それぞれ、同様の構成および機能を有するので、その一つを代表して説明する。なお、本発明は、基地局装置３の送信アンテナ１１１の本数が複数の場合も適用できるが、説明の簡略化のため、送信アンテナ１１１の本数が１つの場合について説明する。
【００５９】
また、この図に示すように、物理下りリンク共用チャネル処理部２０１は、それぞれ、ターボ符号部２１９、および、データ変調部２２１、を備える。また、この図に示すように、物理下りリンク制御チャネル処理部２０３は、畳み込み符号部２２３、および、ＱＰＳＫ変調部２２５、を備える。物理下りリンク共用チャネル処理部２０１は、移動局装置５への情報データをＯＦＤＭ方式で伝送するためのベースバンド信号処理を行なう。ターボ符号部２１９は、入力された情報データを、制御部１０５から入力された符号化率で、データの誤り耐性を高めるためのターボ符号化を行ない、データ変調部２２１に出力する。データ変調部２２１は、ターボ符号部２１９が符号化したデータを、制御部１０５から入力された変調方式、例えば、ＱＰＳＫ（四位相偏移変調: Quadrature Phase Shift Keying）、１６ＱＡＭ（16値直交振幅変調: 16 Quadrature Amplitude Modulation）、６４ＱＡＭ（64値直交振幅変調: 64 Quadrature Amplitude Modulation）のような変調方式で変調し、変調シンボルの信号系列を生成する。データ変調部２２１は、生成した信号系列を、多重部２０７に出力する。
【００６０】
物理下りリンク制御チャネル処理部２０３は、制御部１０５から入力された制御情報を、ＯＦＤＭ方式で伝送するためのベースバンド信号処理を行なう。畳み込み符号部２２３は、制御部１０５から入力された符号化率に基づき、ＤＣＩの誤り耐性を高めるための畳み込み符号化を行なう。ここで、ＤＣＩはビット単位で制御される。また、畳み込み符号部２２３は、制御部１０５から入力された符号化率に基づき、畳み込み符号化の処理を行なったビットに対して出力ビットの数を調整するためにレートマッチングも行なう。畳み込み符号部２２３は、符号化したＤＣＩをＱＰＳＫ変調部２２５に出力する。ＱＰＳＫ変調部２２５は、畳み込み符号部２２３が符号化したＤＣＩを、ＱＰＳＫ変調方式で変調し、変調した変調シンボルの信号系列を、多重部２０７に出力する。下りリンクパイロットチャネル処理部２０５は、移動局装置５において既知の信号である下りリンク参照信号を生成し、多重部２０７に出力する。
【００６１】
多重部２０７は、下りリンクパイロットチャネル処理部２０５から入力された信号と、物理下りリンク共用チャネル処理部２０１各々から入力された信号と、物理下りリンク制御チャネル処理部２０３各々から入力された信号とを、制御部１０５からの指示に従って、下りリンク無線フレームに多重する。無線リソース制御部１０３によって設定されたＰＤＳＣＨに対する下りリンク物理リソースブロックの割り当て、ＰＤＣＣＨに対する下りリンクリソースエレメントの割り当てに関する制御信号が制御部１０５に入力され、その制御信号に基づき、制御部１０５は多重部２０７の処理を制御する。
【００６２】
なお、多重部２０７は、ＰＤＳＣＨとＰＤＣＣＨ間の多重を、図１４に示したように時間多重で行なう。また、多重部２０７は、下りリンクパイロットチャネルと、その他のチャネル間の多重は時間・周波数多重で行なう。また、多重部２０７は、各移動局装置５宛てのＰＤＳＣＨの多重を下りリンク物理リソースブロックペア単位で行ない、１つの移動局装置５に対して複数の下りリンク物理リソースブロックペアを用いてＰＤＳＣＨを多重してもよい。また、多重部２０７は、各移動局装置５宛てのＰＤＣＣＨの多重を下りリンクシステム帯域内でばらばらに分散した下りリンクリソースエレメントを複数用いて行なう。多重部２０７は、多重化した信号を、ＩＦＦＴ部２０９に出力する。
【００６３】
ＩＦＦＴ部２０９は、多重部２０７が多重化した信号を高速逆フーリエ変換し、ＯＦＤＭ方式の変調を行ない、ＧＩ挿入部２１１に出力する。ＧＩ挿入部２１１は、ＩＦＦＴ部２０９がＯＦＤＭ方式の変調を行なった信号に、ガードインターバルを付加することで、ＯＦＤＭ方式におけるシンボルからなるベースバンドのディジタル信号を生成する。周知のように、ガードインターバルは、伝送するＯＦＤＭシンボルの先頭または末尾の一部を複製することによって生成される。ＧＩ挿入部２１１は、生成したベースバンドのディジタル信号をＤ／Ａ部２１３に出力する。Ｄ／Ａ部２１３は、ＧＩ挿入部２１１から入力されたベースバンドのディジタル信号をアナログ信号に変換し、送信ＲＦ部２１５に出力する。送信ＲＦ部２１５は、Ｄ／Ａ部２１３から入力されたアナログ信号から、中間周波数の同相成分および直交成分を生成し、中間周波数帯域に対する余分な周波数成分を除去する。次に、送信ＲＦ部２１５は、中間周波数の信号を高周波数の信号に変換（アップコンバート）し、余分な周波数成分を除去し、電力増幅し、送信アンテナ１１１を介して、移動局装置５に送信する。
【００６４】
＜基地局装置３の受信処理部１０１の構成＞
以下、基地局装置３の受信処理部１０１の詳細について説明する。図３は、本発明の実施形態に係る基地局装置３の受信処理部１０１の構成を示す概略ブロック図である。この図に示すように、受信処理部１０１は、受信ＲＦ部３０１、Ａ／Ｄ（Analog/Digital；アナログディジタル変換）部３０３、シンボルタイミング検出部３０９、ＧＩ除去部３１１、ＦＦＴ部３１３、サブキャリアデマッピング部３１５、伝搬路推定部３１７、ＰＵＳＣＨ用の伝搬路等化部３１９、ＰＵＣＣＨ用の伝搬路等化部３２１、ＩＤＦＴ部３２３、データ復調部３２５、ターボ復号部３２７、および物理上りリンク制御チャネル検出部３２９を備える。
【００６５】
受信ＲＦ部３０１は、受信アンテナ１０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部３０１は、直交復調したアナログ信号を、Ａ／Ｄ部３０３に出力する。Ａ／Ｄ部３０３は、受信ＲＦ部３０１が直交復調したアナログ信号をディジタル信号に変換し、変換したディジタル信号をシンボルタイミング検出部３０９およびＧＩ除去部３１１に出力する。
【００６６】
シンボルタイミング検出部３０９は、Ａ／Ｄ部３０３より入力された信号に基づいて、シンボルのタイミングを検出し、検出したシンボル境界のタイミングを示す制御信号を、ＧＩ除去部３１１に出力する。ＧＩ除去部３１１は、シンボルタイミング検出部３０９からの制御信号に基づいて、Ａ／Ｄ部３０３より入力された信号からガードインターバルに相当する部分を除去し、残りの部分の信号を、ＦＦＴ部３１３に出力する。ＦＦＴ部３１３は、ＧＩ除去部３１１から入力された信号を高速フーリエ変換し、ＤＦＴ−Ｓｐｒｅａｄ−ＯＦＤＭ方式の復調を行ない、サブキャリアデマッピング部３１５に出力する。なお、ＦＦＴ部３１３のポイント数は、後述する移動局装置５のＩＦＦＴ部のポイント数と等しい。
【００６７】
サブキャリアデマッピング部３１５は、制御部１０５から入力された制御信号に基づき、ＦＦＴ部３１３が復調した信号を、上りリンクパイロットチャネルの上りリンク参照信号と、ＰＵＳＣＨの信号と、ＰＵＣＣＨの信号とに分離する。サブキャリアデマッピング部３１５は、分離した上りリンク参照信号を伝搬路推定部３１７に出力し、分離したＰＵＳＣＨの信号をＰＵＳＣＨ用の伝搬路等化部３１９に出力し、分離したＰＵＣＣＨの信号をＰＵＣＣＨ用の伝搬路等化部３２１に出力する。
【００６８】
伝搬路推定部３１７は、サブキャリアデマッピング部３１５が分離した上りリンク参照信号と既知の信号を用いて伝搬路の変動を推定する。伝搬路推定部３１７は、推定した伝搬路推定値を、ＰＵＳＣＨ用の伝搬路等化部３１９と、ＰＵＣＣＨ用の伝搬路等化部３２１に出力する。ＰＵＳＣＨ用の伝搬路等化部３１９は、サブキャリアデマッピング部３１５が分離したＰＵＳＣＨの信号の振幅および位相を、伝搬路推定部３１７から入力された伝搬路推定値に基づいて等化する。ここで、等化とは、信号が無線通信中に受けた伝搬路の変動を元に戻す処理のことを表す。ＰＵＳＣＨ用の伝搬路等化部３１９は、調整した信号をＩＤＦＴ部３２３に出力する。
【００６９】
ＩＤＦＴ部３２３は、ＰＵＳＣＨ用の伝搬路等化部３１９から入力された信号を離散逆フーリエ変換し、データ復調部３２５に出力する。データ復調部３２５は、ＩＤＦＴ部３２３が変換したＰＵＳＣＨの信号の復調を行ない、復調したＰＵＳＣＨの信号をターボ復号部３２７に出力する。この復調は、移動局装置５のデータ変調部で用いられる変調方式に対応した復調であり、変調方式は制御部１０５より入力される。ターボ復号部３２７は、データ復調部３２５から入力され、復調されたＰＵＳＣＨの信号から、情報データを復号する。符号化率は、制御部１０５より入力される。
【００７０】
ＰＵＣＣＨ用の伝搬路等化部３２１は、サブキャリアデマッピング部３１５で分離されたＰＵＣＣＨの信号の振幅および位相を、伝搬路推定部３１７から入力された伝搬路推定値に基づいて等化する。ＰＵＣＣＨ用の伝搬路等化部３２１は、等化した信号を物理上りリンク制御チャネル検出部３２９に出力する。
【００７１】
物理上りリンク制御チャネル検出部３２９は、ＰＵＣＣＨ用の伝搬路等化部３２１から入力された信号を復調、復号し、ＵＣＩを検出する。物理上りリンク制御チャネル検出部３２９は、送信側で用いられた符号を用いて周波数領域、および／または時間領域で符号多重されたＰＵＣＣＨの信号からＡＣＫ／ＮＡＣＫからなるＵＣＩ、ＳＲからなるＵＣＩ、ＣＱＩからなるＵＣＩを検出する。また、物理上りリンク制御チャネル検出部３２９は、制御部１０５からの制御信号に基づき検出処理の種類を設定し、設定した検出処理によりＰＵＣＣＨにおいて送信されるＵＣＩの検出を行なう。例えば、物理上りリンク制御チャネル検出部３２９は、複数のＰＵＣＣＨの信号を合成せずにＵＣＩを検出する処理を設定する。例えば、物理上りリンク制御チャネル検出部３２９は、複数のＰＵＣＣＨの信号を合成してＵＣＩを検出する処理を設定する。物理上りリンク制御チャネル検出部３２９におけるＰＵＣＣＨに用いるＵＣＩの検出処理の詳細は後述する。
【００７２】
制御部１０５は、基地局装置３が、移動局装置５にＰＤＣＣＨを用いて送信した制御情報（ＤＣＩ）、及びＰＤＳＣＨを用いて送信した制御情報に基づいて、サブキャリアデマッピング部３１５、データ復調部３２５、ターボ復号部３２７、伝搬路推定部３１７、および物理上りリンク制御チャネル検出部３２９の制御を行なう。また、制御部１０５は、基地局装置３が移動局装置５に送信した制御情報に基づき、各移動局装置５が送信したＰＵＳＣＨ、ＰＵＣＣＨがどのリソース（上りリンクサブフレーム、上りリンク物理リソースブロック、周波数領域の符号、時間領域の符号）に配置されているかを把握している。
【００７３】
＜移動局装置５の全体構成＞
以下、図４、図５、図６を用いて、本実施形態に係る移動局装置５の構成について説明する。図４は、本発明の実施形態に係る移動局装置５の構成を示す概略ブロック図である。この図に示すように、移動局装置５は、受信処理部４０１、無線リソース制御部４０３、制御部４０５、送信処理部４０７を含んで構成される。また、制御部４０５は、管理部４０５１、および配置部４０５３、を備える。
【００７４】
受信処理部４０１は、基地局装置３から信号を受信し、制御部４０５からの指示に基づき、受信信号を復調、復号する。受信処理部４０１は、自装置宛てのＰＤＣＣＨの信号を検出した場合は、ＰＤＣＣＨの信号を復号して取得したＤＣＩを制御部４０５に出力する。また、受信処理部４０１は、ＰＤＣＣＨに含まれるＤＣＩを制御部４０５に出力した後の制御部４０５の指示に基づき、自装置宛てのＰＤＳＣＨを復号して得た情報データを、制御部４０５を介して上位層に出力する。また、受信処理部４０１は、ＰＤＳＣＨを復号して得た基地局装置３の無線リソース制御部１０３で生成された制御情報を制御部４０５に出力し、また制御部４０５を介して自装置の無線リソース制御部４０３に出力する。例えば、基地局装置３の無線リソース制御部１０３で生成された制御情報は、ＰＵＣＣＨのリソースの割り当てを示す情報、ＰＵＣＣＨの送信方法を示す情報などを含む。
【００７５】
また、受信処理部４０１は、ＰＤＳＣＨに含まれる巡回冗長検査（Cyclic Redundancy Check: CRC）符号を制御部４０５に出力する。基地局装置３の説明では省略したが、基地局装置３の送信制御部１０７は情報データからＣＲＣ符号を生成し、情報データとＣＲＣ符号をＰＤＳＣＨで送信する。ＣＲＣ符号は、ＰＤＳＣＨに含まれるデータが誤っているか、誤っていないかを判断するために使われ、予め決められた生成多項式を用いてデータから生成された情報とＣＲＣ符号が同じ場合はデータが誤っていないと判断され、予め決められた生成多項式を用いてデータから生成された情報とＣＲＣ符号が異なる場合はデータが誤っていると判断される。受信処理部４０１の詳細については後述する。
【００７６】
制御部４０５は、管理部４０５１、配置部４０５３を備える。制御部４０５は、ＰＤＳＣＨを用いて基地局装置３から送信され、受信処理部４０１より入力されたデータを確認し、データの中で情報データを上位層に出力し、データの中で基地局装置３の無線リソース制御部１０３で生成された制御情報に基づいて、受信処理部４０１、送信処理部４０７を制御する。また、制御部４０５は、無線リソース制御部４０３からの指示に基づき、受信処理部４０１、送信処理部４０７を制御する。例えば、制御部４０５は、配置部４０５３で決定されたＰＵＣＣＨのリソースにＵＣＩの信号を配置するように送信処理部４０７を制御し、管理部４０５１で同時に発生したＵＣＩの個数に応じてＰＵＣＣＨの送信方法（複数の送信アンテナを用いたダイバーシチ送信方法、または単一の送信アンテナを用いた送信方法）を決定し、決定した送信方法でＵＣＩの送信信号を生成するように送信処理部４０７を制御する。また、同様に、制御部４０５は、ＰＤＣＣＨを用いて基地局装置３から送信され、受信処理部４０１より入力されたＤＣＩに基づいて、受信処理部４０１、送信処理部４０７を制御する。また、制御部４０５は、予め決められた生成多項式を用いて受信処理部４０１より入力されたデータと受信処理部４０１より入力されたＣＲＣ符号を比較し、データが誤っているか否かを判断し、ＡＣＫ／ＮＡＣＫを発生させる。また、制御部４０５は、無線リソース制御部４０３からの指示に基づき、ＳＲ、ＣＱＩを発生させる。実際には、制御部４０５の管理部４０５１において、ＡＣＫ／ＮＡＣＫ、ＳＲ、ＣＱＩの発生が制御される。
【００７７】
管理部４０５１は、自装置でのＵＣＩの発生を管理する。例えば、管理部４０５１は、制御部４０５に対して受信処理部４０１よりデータとＣＲＣ符号が入力された場合、ＡＣＫ／ＮＡＣＫを発生させる。予め決められた生成多項式を用いてデータから生成された情報とＣＲＣ符号が同じ場合は、ＡＣＫ／ＮＡＣＫでＡＣＫが示され、生成された情報とＣＲＣ符号が異なる場合は、ＡＣＫ／ＮＡＣＫでＮＡＣＫが示される。例えば、管理部４０５１は、無線リソース制御部４０３において上りリンクのリソースが不足していると判断され、ＳＲの発生を要請する制御信号が無線リソース制御部４０３より入力された場合、ＳＲを発生させる。なお、無線リソース制御部４０３は、上りリンクのリソースが不足していると判断した状態で、基地局装置３より予め割り当てられたＳＲ用のＰＵＣＣＨのリソースが割り当てられる上りリンクサブフレームに対応して、ＳＲを発生させる制御信号を制御部４０５に出力する。なお、送信バッファに蓄積されたデータ量が所定の閾値を超えた場合などに、上りリンクのリソースが不足していると判断される。例えば、管理部４０５１は、無線リソース制御部４０３からの制御信号に基づき、ＣＱＩを発生させる。なお、無線リソース制御部４０３は、基地局装置３より予め割り当てられたＣＱＩ用のＰＵＣＣＨのリソースが割り当てられる上りリンクサブフレームに対応して、ＣＱＩを発生させる制御信号を制御部４０５に出力する。
【００７８】
配置部４０５３は、管理部４０５１で発生したＵＣＩをＰＵＣＣＨに配置する処理を行う。配置部４０５３は、基地局装置３より通知されたＰＵＣＣＨの送信方法を示す情報、管理部４０５１で同時に発生したＵＣＩの個数に応じてＵＣＩをＰＵＣＣＨに配置する処理を制御する。
【００７９】
先ず、ＰＵＣＣＨの送信方法として、複数の送信アンテナを用いてダイバーシチ送信せず、ＰＵＣＣＨを１本の送信アンテナを用いて送信する送信方法が設定されている場合について説明する。配置部４０５３は、管理部４０５１でＡＣＫ／ＮＡＣＫのみが発生した場合、そのＡＣＫ／ＮＡＣＫが肯定応答、または否定応答を示すＰＤＳＣＨに対するＤＬ  ａｓｓｉｇｎｍｅｎｔを含むＰＤＣＣＨに用いられたリソースと予め対応付けられたＰＵＣＣＨのリソースにＡＣＫ／ＮＡＣＫから生成された信号を配置する処理を行う。配置部４０５３は、管理部４０５１でＳＲのみが発生した場合、基地局装置３より通知されたＳＲ用のＰＵＣＣＨのリソースにＳＲから生成された信号を配置する処理を行なう。配置部４０５３は、管理部４０５１でＣＱＩのみが発生した場合、基地局装置３より通知されたＣＱＩ用のＰＵＣＣＨのリソースにＣＱＩから生成された信号を配置する処理を行う。配置部４０５３は、管理部４０５１でＡＣＫ／ＮＡＣＫとＣＱＩが同時に発生した場合、そのＡＣＫ／ＮＡＣＫが肯定応答、または否定応答を示すＰＤＳＣＨに対するＤＬ  ａｓｓｉｇｎｍｅｎｔを含むＰＤＣＣＨに用いられたリソースと予め対応付けられたＰＵＣＣＨのリソースにＡＣＫ／ＮＡＣＫから生成された信号を配置し、ＣＱＩから生成される信号は配置しない処理を行なう。または、管理部４０５１でＡＣＫ／ＮＡＣＫとＣＱＩが同時に発生した場合、基地局装置３より通知されたＣＱＩ用のＰＵＣＣＨのリソースにＡＣＫ／ＮＡＣＫとＣＱＩから生成された信号を配置する処理を行なう。なお、管理部４０５１でＡＣＫ／ＮＡＣＫとＣＱＩが同時に発生した場合に、管理部４０５１で上記何れの処理が行われるかは、予め基地局装置３より設定される。配置部４０５３は、管理部４０５１でＳＲとＣＱＩが同時に発生した場合、基地局装置３より通知されたＳＲ用のＰＵＣＣＨのリソースにＳＲから生成された信号を配置し、ＣＱＩを配置しない処理を行なう。配置部４０５３は、管理部４０５１でＡＣＫ／ＮＡＣＫとＳＲが同時に発生した場合、基地局装置３より通知されたＳＲ用のＰＵＣＣＨのリソースにＡＣＫ／ＮＡＣＫから生成された信号を配置する処理を行なう。配置部４０５３は、管理部４０５１でＡＣＫ／ＮＡＣＫとＳＲとＣＱＩが同時に発生した場合、基地局装置３より通知されたＳＲ用のＰＵＣＣＨのリソースにＡＣＫ／ＮＡＣＫから生成された信号を配置し、ＣＱＩから生成される信号を配置しない処理を行なう。
【００８０】
次に、ＰＵＣＣＨの送信方法として、複数の送信アンテナを用いてダイバーシチ送信するダイバーシチ送信方法が設定されている場合について説明する。また、移動局装置５の送信アンテナ４１１の本数が２本の場合について説明する。配置部４０５３は、管理部４０５１でＡＣＫ／ＮＡＣＫのみが発生した場合、そのＡＣＫ／ＮＡＣＫが肯定応答、または否定応答を示すＰＤＳＣＨに対するＤＬ  ａｓｓｉｇｎｍｅｎｔを含むＰＤＣＣＨに用いられたリソースと予め対応付けられた２個のＰＵＣＣＨのリソースに同一の内容を示すＡＣＫ／ＮＡＣＫから生成された信号を配置する処理を行う。配置部４０５３は、管理部４０５１でＳＲのみが発生した場合、基地局装置３より通知されたＳＲ用の２個のＰＵＣＣＨのリソースに同一の内容を示すＳＲから生成された信号を配置する処理を行なう。配置部４０５３は、管理部４０５１でＣＱＩのみが発生した場合、基地局装置３より通知されたＣＱＩ用の２個のＰＵＣＣＨのリソースに同一の内容を示すＣＱＩから生成された信号を配置する処理を行なう。配置部４０５３は、管理部４０５１でＡＣＫ／ＮＡＣＫとＣＱＩの２個のＵＣＩが同時に発生した場合、そのＡＣＫ／ＮＡＣＫが肯定応答、または否定応答を示すＰＤＳＣＨに対するＤＬ  ａｓｓｉｇｎｍｅｎｔを含むＰＤＣＣＨに用いられたリソースと予め対応付けられた１個のＰＵＣＣＨのリソースにＡＣＫ／ＮＡＣＫから生成された信号を配置し、基地局装置３より通知されたＣＱＩ用の１個のＰＵＣＣＨのリソースにＣＱＩから生成された信号を配置する処理を行なう。配置部４０５３は、管理部４０５１でＳＲとＣＱＩの２個のＵＣＩが同時に発生した場合、基地局装置３より通知されたＳＲ用の１個のＰＵＣＣＨのリソースにＳＲから生成された信号を配置し、基地局装置３より通知されたＣＱＩ用の１個のＰＵＣＣＨのリソースにＣＱＩから生成された信号を配置する処理を行なう。配置部４０５３は、管理部４０５１でＡＣＫ／ＮＡＣＫとＳＲの２個のＵＣＩが同時に発生した場合、そのＡＣＫ／ＮＡＣＫが肯定応答、または否定応答を示すＰＤＳＣＨに対するＤＬ  ａｓｓｉｇｎｍｅｎｔを含むＰＤＣＣＨに用いられたリソースと予め対応付けられた１個のＰＵＣＣＨのリソースにＡＣＫ／ＮＡＣＫから生成された信号を配置し、基地局装置３より通知されたＳＲ用の１個のＰＵＣＣＨのリソースにＳＲから生成された信号を配置する処理を行なう。配置部４０５３は、管理部４０５１でＡＣＫ／ＮＡＣＫとＳＲとＣＱＩの３個のＵＣＩが同時に発生した場合、そのＡＣＫ／ＮＡＣＫが肯定応答、または否定応答を示すＰＤＳＣＨに対するＤＬ  ａｓｓｉｇｎｍｅｎｔを含むＰＤＣＣＨに用いられたリソースと予め対応付けられた１個のＰＵＣＣＨのリソースにＡＣＫ／ＮＡＣＫから生成された信号を配置し、基地局装置３より通知されたＳＲ用の１個のＰＵＣＣＨのリソースにＳＲから生成された信号を配置し、ＣＱＩから生成される信号を配置しない処理を行なう。または、管理部４０５１でＡＣＫ／ＮＡＣＫとＳＲとＣＱＩの３個のＵＣＩが同時に発生した場合、基地局装置３より通知されたＣＱＩ用のＰＵＣＣＨのリソースにＡＣＫ／ＮＡＣＫとＣＱＩから生成された信号を配置し、基地局装置３より通���されたＳＲ用のＰＵＣＣＨのリソースにＳＲから生成された信号を配置する処理を行なう。なお、管理部４０５１でＡＣＫ／ＮＡＣＫとＳＲとＣＱＩが同時に発生した場合に、管理部４０５１で上記何れの処理が行われるかは、予め基地局装置３より設定される。
【００８１】
次に、ＰＵＣＣＨの送信方法として、複数の送信アンテナを用いてダイバーシチ送信するダイバーシチ送信方法が設定され、移動局装置５の送信アンテナ４１１の本数が３本の場合について説明する。配置部４０５３は、管理部４０５１でＡＣＫ／ＮＡＣＫのみが発生した場合、そのＡＣＫ／ＮＡＣＫが肯定応答、または否定応答を示すＰＤＳＣＨに対するＤＬ  ａｓｓｉｇｎｍｅｎｔを含むＰＤＣＣＨに用いられたリソースと予め対応付けられた３個のＰＵＣＣＨのリソースに同一の内容を示すＡＣＫ／ＮＡＣＫから生成された信号を配置する処理を行う。配置部４０５３は、管理部４０５１でＳＲのみが発生した場合、基地局装置３より通知されたＳＲ用の３個のＰＵＣＣＨのリソースに同一の内容を示すＳＲから生成された信号を配置する処理を行なう。配置部４０５３は、管理部４０５１でＣＱＩのみが発生した場合、基地局装置３より通知されたＣＱＩ用の３個のＰＵＣＣＨのリソースに同一の内容を示すＣＱＩから生成された信号を配置する処理を行なう。配置部４０５３は、管理部４０５１でＡＣＫ／ＮＡＣＫとＣＱＩの２個のＵＣＩが同時に発生した場合、そのＡＣＫ／ＮＡＣＫが肯定応答、または否定応答を示すＰＤＳＣＨに対するＤＬ  ａｓｓｉｇｎｍｅｎｔを含むＰＤＣＣＨに用いられたリソースと予め対応付けられた２個のＰＵＣＣＨのリソースに同一の内容を示すＡＣＫ／ＮＡＣＫから生成された信号を配置し、基地局装置３より通知されたＣＱＩ用の１個のＰＵＣＣＨのリソースにＣＱＩから生成された信号を配置する処理を行なう。なお、配置部４０５３は、管理部４０５１でＡＣＫ／ＮＡＣＫとＣＱＩの２個のＵＣＩが同時に発生した場合、そのＡＣＫ／ＮＡＣＫが肯定応答、または否定応答を示すＰＤＳＣＨに対するＤＬ  ａｓｓｉｇｎｍｅｎｔを含むＰＤＣＣＨに用いられたリソースと予め対応付けられた１個のＰＵＣＣＨのリソースにＡＣＫ／ＮＡＣＫから生成された信号を配置し、基地局装置３より通知されたＣＱＩ用の２個のＰＵＣＣＨのリソースに同一の内容を示すＣＱＩから生成された信号を配置する処理を行なってもよい。配置部４０５３は、管理部４０５１でＳＲとＣＱＩの２個のＵＣＩが同時に発生した場合、基地局装置３より通知されたＳＲ用の２個のＰＵＣＣＨのリソースに同一の内容を示すＳＲから生成された信号を配置し、基地局装置３より通知されたＣＱＩ用の１個のＰＵＣＣＨのリソースにＣＱＩから生成された信号を配置する処理を行なう。配置部４０５３は、管理部４０５１でＳＲとＣＱＩの２個のＵＣＩが同時に発生した場合、基地局装置３より通知されたＳＲ用の１個のＰＵＣＣＨのリソースにＳＲから生成された信号を配置し、基地局装置３より通知されたＣＱＩ用の２個のＰＵＣＣＨのリソースに同一の内容を示すＣＱＩから生成された信号を配置する処理を行なってもよい。配置部４０５３は、管理部４０５１でＡＣＫ／ＮＡＣＫとＳＲの２個のＵＣＩが同時に発生した場合、そのＡＣＫ／ＮＡＣＫが肯定応答、または否定応答を示すＰＤＳＣＨに対するＤＬ  ａｓｓｉｇｎｍｅｎｔを含むＰＤＣＣＨに用いられたリソースと予め対応付けられた２個のＰＵＣＣＨのリソースに同一の内容を示すＡＣＫ／ＮＡＣＫから生成された信号を配置し、基地局���置３より通知されたＳＲ用の１個のＰＵＣＣＨのリソースにＳＲから生成された信号を配置する処理を行なう。なお、配置部４０５３は、管理部４０５１でＡＣＫ／ＮＡＣＫとＳＲの２個のＵＣＩが同時に発生した場合、そのＡＣＫ／ＮＡＣＫが肯定応答、または否定応答を示すＰＤＳＣＨに対するＤＬ  ａｓｓｉｇｎｍｅｎｔを含むＰＤＣＣＨに用いられたリソースと予め対応付けられた１個のＰＵＣＣＨのリソースにＡＣＫ／ＮＡＣＫから生成された信号を配置し、基地局装置３より通知されたＳＲ用の２個のＰＵＣＣＨのリソースにＳＲから生成された信号を配置する処理を行なってもよい。配置部４０５３は、管理部４０５１でＡＣＫ／ＮＡＣＫとＳＲとＣＱＩの３個のＵＣＩが同時に発生した場合、そのＡＣＫ／ＮＡＣＫが肯定応答、または否定応答を示すＰＤＳＣＨに対するＤＬ  ａｓｓｉｇｎｍｅｎｔを含むＰＤＣＣＨに用いられたリソースと予め対応付けられた１個のＰＵＣＣＨのリソースにＡＣＫ／ＮＡＣＫから生成された信号を配置し、基地局装置３より通知されたＳＲ用の１個のＰＵＣＣＨのリソースにＳＲから生成された信号を配置し、基地局装置３より通知されたＣＱＩ用の１個のＰＵＣＣＨのリソースにＣＱＩから生成された信号を配置する処理を行なう。
【００８２】
無線リソース制御部４０３は、基地局装置３の無線リソース制御部１０３で生成され、基地局装置３より通知された制御情報を保持すると共に、制御部４０５を介して受信処理部４０１、送信処理部４０７の制御を行なう。つまり、無線リソース制御部４０３は、各種パラメータなどを保持するメモリの機能を備える。例えば、無線リソース制御部４０３は、ＰＵＣＣＨのリソースの割り当てに関する情報を保持し、送信処理部４０７において基地局装置３より通知されたＰＵＣＣＨのリソースを用いてＵＣＩの信号を送信するように制御信号を制御部４０５に出力する。なお、制御部４０５は、無線リソース制御部４０３より入力されたＰＵＣＣＨのリソースを示す制御信号と管理部４０５１で同時に発生したＵＣＩの個数などに応じてＵＣＩの信号を配置するＰＵＣＣＨのリソースを最終決定し、送信処理部４０７の制御を行なう。また、無線リソース制御部４０３は、ＰＵＣＣＨの送信方法に関する情報を保持し、送信処理部４０７において基地局装置３より通知されたＰＵＣＣＨの送信方法を考慮してＵＣＩの信号に用いる送信方法を制御するように制御信号を制御部４０５に出力する。なお、制御部４０５は、無線リソース制御部４０３より入力されたＰＵＣＣＨの送信方法を示す制御信号と管理部４０５１で同時に発生したＵＣＩの個数などに応じてＵＣＩの信号の送信方法を最終決定し、送信処理部４０７の制御を行なう。
【００８３】
送信処理部４０７は、制御部４０５の指示に従い、情報データ、制御情報（ＵＣＩ）を適宜符号化し、変調した信号をＰＵＳＣＨ、ＰＵＣＣＨのリソースに配置して、基地局装置３に送信アンテナ４１１を介して送信する。例えば、送信処理部４０７は、複数のＰＵＣＣＨに配置されるＵＣＩの信号を複数の送信アンテナ４１１を用いたダイバーシチ送信方法で送信する。例えば、送信処理部４０７は、ＰＵＣＣＨに配置されるＵＣＩの信号を単一の送信アンテナ４０１を用いた送信方法で送信する。具体的には、送信処理部４０７は、複数のＰＵＣＣＨに配置される複数のＵＣＩの信号をそれぞれ異なる単一の送信アンテナを用いて送信する。送信処理部４０７の詳細については後述する。
【００８４】
＜移動局装置５の受信処理部４０１＞
以下、移動局装置５の受信処理部４０１の詳細について説明する。図５は、本発明の実施形態に係る移動局装置５の受信処理部４０１の構成を示す概略ブロック図である。図５に示すように、受信処理部４０１は、受信ＲＦ部５０１、Ａ／Ｄ部５０３、シンボルタイミング検出部５０５、ＧＩ除去部５０７、ＦＦＴ部５０９、多重分離部５１１、伝搬路推定部５１３、ＰＤＳＣＨ用の伝搬路補償部５１５、物理下りリンク共用チャネル復号部５１７、ＰＤＣＣＨ用の伝搬路補償部５１９、および、物理下りリンク制御チャネル復号部５２１、を含んで構成される。また、この図に示すように、物理下りリンク共用チャネル復号部５１７は、データ復調部５２３、および、ターボ復号部５２５、を備える。また、この図に示すように、物理下りリンク制御チャネル復号部５２１は、ＱＰＳＫ復調部５２７、および、ビタビデコーダ部５２９、を備える。
【００８５】
受信ＲＦ部５０１は、受信アンテナ４０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部５０１は、直交復調したアナログ信号を、Ａ／Ｄ部５０３に出力する。
【００８６】
Ａ／Ｄ部５０３は、受信ＲＦ部５０１が直交復調したアナログ信号をディジタル信号に変換し、変換したディジタル信号を、シンボルタイミング検出部５０５と、ＧＩ除去部５０７と、に出力する。シンボルタイミング検出部５０５は、Ａ／Ｄ部５０３が変換したディジタル信号に基づいて、ＯＦＤＭシンボルのタイミングを検出し、検出したシンボル境界のタイミングを示す制御信号を、ＧＩ除去部５０７に出力する。ＧＩ除去部５０７は、シンボルタイミング検出部５０５からの制御信号に基づいて、Ａ／Ｄ部５０３が出力したディジタル信号からガードインターバルに相当する部分を除去し、残りの部分の信号を、ＦＦＴ部５０９に出力する。ＦＦＴ部５０９は、ＧＩ除去部５０７から入力された信号を高速フーリエ変換し、ＯＦＤＭ方式の復調を行ない、多重分離部５１１に出力する。
【００８７】
多重分離部５１１は、制御部４０５から入力された制御信号に基づき、ＦＦＴ部５０９が復調した信号を、ＰＤＣＣＨの信号と、ＰＤＳＣＨの信号とに分離する。多重分離部５１１は、分離したＰＤＳＣＨの信号を、ＰＤＳＣＨ用の伝搬路補償部５１５に出力し、また、分離したＰＤＣＣＨの信号を、ＰＤＣＣＨ用の伝搬路補償部５１９に出力する。また、多重分離部５１１は、下りリンクパイロットチャネルが配置される下りリンクリソースエレメントを分離し、下りリンクパイロットチャネルの下りリンク参照信号を、伝搬路推定部５１３に出力する。
【００８８】
伝搬路推定部５１３は、多重分離部５１１が分離した下りリンクパイロットチャネルの下りリンク参照信号と既知の信号とを用いて伝搬路の変動を推定し、伝搬路の変動を補償するように、振幅および位相を調整するための伝搬路補償値を、ＰＤＳＣＨ用の伝搬路補償部５１５と、ＰＤＣＣＨ用の伝搬路補償部５１９に出力する。ＰＤＳＣＨ用の伝搬路補償部５１５は、多重分離部５１１が分離したＰＤＳＣＨの信号の振幅および位相を、伝搬路推定部５１３から入力された伝搬路補償値に従って調整する。ＰＤＳＣＨ用の伝搬路補償部５１５は、伝搬路を調整した信号を物理下りリンク共用チャネル復号部５１７のデータ復調部５２３に出力する。
【００８９】
物理下りリンク共用チャネル復号部５１７は、制御部４０５からの指示に基づき、ＰＤＳＣＨの復調、復号を行ない、情報データを検出する。データ復調部５２３は、伝搬路補償部５１５から入力されたＰＤＳＣＨの信号の復調を行ない、復調したＰＤＳＣＨの信号をターボ復号部５２５に出力する。この復調は、基地局装置３のデータ変調部２２１で用いられる変調方式に対応した復調である。ターボ復号部５２５は、データ復調部５２３から入力され、復調されたＰＤＳＣＨの信号から情報データを復号し、制御部４０５を介して上位層に出力する。なお、ＰＤＳＣＨを用いて送信された、基地局装置３の無線リソース制御部１０３で生成された制御情報等も制御部４０５に出力され、制御部４０５を介して無線リソース制御部４０３にも出力される。なお、ＰＤＳＣＨに含まれるＣＲＣ符号も制御部４０５に出力される。
【００９０】
ＰＤＣＣＨ用の伝搬路補償部５１９は、多重分離部５１１が分離したＰＤＣＣＨの信号の振幅および位相を、伝搬路推定部５１３から入力された伝搬路補償値に従って調整する。ＰＤＣＣＨ用の伝搬路補償部５１９は、調整した信号を物理下りリンク制御チャネル復号部５２１のＱＰＳＫ復調部５２７に出力する。
【００９１】
物理下りリンク制御チャネル復号部５２１は、以下のように、ＰＤＣＣＨ用の伝搬路補償部５１９から入力された信号を復調、復号し、制御情報（ＤＣＩ）を検出する。ＱＰＳＫ復調部５２７は、ＰＤＣＣＨの信号に対してＱＰＳＫ復調を行ない、ビタビデコーダ部５２９に出力する。ビタビデコーダ部５２９は、ＱＰＳＫ復調部５２７が復調した信号を復号し、復号したＤＣＩを制御部４０５に出力する。ここで、この信号はビット単位で表現され、ビタビデコーダ部５２９は、入力ビットに対してビタビデコーディング処理を行なうビットの数を調整するためにレートデマッチングも行なう。また、物理下りリンク制御チャネル復号部５２１は、自装置宛てのＤＣＩを検出したＰＤＣＣＨに用いられたリソースに関する情報も制御部４０５に出力する。
【００９２】
なお、制御部４０５は、ビタビデコーダ部５２９より入力されたＤＣＩが誤りなく、自装置宛てのＤＣＩかを判定し、誤りなく、自装置宛てのＤＣＩと判定した場合、ＤＣＩに基づいて多重分離部５１１、データ復調部５２３、ターボ復号部５２５、および送信処理部４０７、を制御する。例えば、制御部４０５は、ＤＣＩがＤＬ  ａｓｓｉｇｎｍｅｎｔである場合、受信処理部４０１に基地局装置３より割り当てられたリソースのＰＤＳＣＨの信号に対して受信処理を行なうように制御する。なお、ＰＤＣＣＨにおいてもＰＤＳＣＨと同様にＣＲＣ符号が含まれており、制御部４０５はＣＲＣ符号を用いてＰＤＣＣＨのＤＣＩが誤っているか否かを判断する。なお、制御部４０５は、物理下りリンク制御チャネル復号部５２１より入力されたＰＤＣＣＨに用いられたリソースに関する情報に基づいてＡＣＫ／ＮＡＣＫ用のＰＵＣＣＨのリソースを認識する。ＡＣＫ／ＮＡＣＫ用のＰＵＣＣＨのリソースとＰＤＣＣＨに用いられるリソースとの関係についての詳細は後述する。
【００９３】
＜移動局装置５の送信処理部４０７＞
図６は、本発明の実施形態に係る移動局装置５の送信処理部４０７の構成を示す概略ブロック図である。この図に示すように、送信処理部４０７は、ターボ符号部６１１、データ変調部６１３、ＤＦＴ部６１５、上りリンクパイロットチャネル処理部６１７、物理上りリンク制御チャネル処理部６１９、サブキャリアマッピング部６２１−１〜６２１−２（以下、サブキャリアマッピング部６２１−１〜６２１−２を合わせてサブキャリアマッピング部６２１と表す）、ＩＦＦＴ部６２３−１〜６２３−２（以下、ＩＦＦＴ部６２３−１〜６２３−２を合わせてＩＦＦＴ部６２３と表す）、乗算部６２４−１〜６２４−２（以下、乗算部６２４−１〜６２４−２を合わせて乗算部６２４と表す）、ＧＩ挿入部６２５−１〜６２５−２（以下、ＧＩ挿入部６２５−１〜６２５−２を合わせてＧＩ挿入部６２５と表す）、Ｄ／Ａ部６０５−１〜６０５−２（以下、Ｄ／Ａ部６０５−１〜６０５−２を合わせてＤ／Ａ部６０５と表す）、送信ＲＦ部６０７−１〜６０７−２（以下、送信ＲＦ部６０７−１〜６０７−２を合わせて送信ＲＦ部６０７と表す）、および、送信アンテナ４１１−１〜４１１−２（以下、送信アンテナ４１１−１〜４１１−２を合わせて送信アンテナ４１１と表す）を含んで構成される。なお、各サブキャリアマッピング部６２１、各ＩＦＦＴ部６２３、各乗算部６２４、各ＧＩ挿入部６２５、各Ｄ／Ａ部６０５、各送信ＲＦ部６０７、各送信アンテナ４１１は、同様の機能を有するので、その一つを代表して説明する。
【００９４】
また、本発明は、説明の便宜上、移動局装置５において送信アンテナ４１１の数が２本で構成される場合について説明するが、送信アンテナ４１１の数が３本以上で構成され、関連する処理部（サブキャリアマッピング部６２１、ＩＦＦＴ部６２３、乗算部６２４、ＧＩ挿入部６２５、Ｄ／Ａ部６０５、送信ＲＦ部６０７）が３個以上構成されてもよい。また、本発明は、説明の便宜上、移動局装置５においてＰＵＳＣＨの信号が１本の送信アンテナ（送信アンテナ４１１−１）を用いて送信される構成について説明するが、ＰＵＳＣＨの信号が複数の送信アンテナを用いて送信されてもよく、移動局装置５において複数のターボ符号部６１１、データ変調部６１３、ＤＦＴ部６１５が構成されてもよく、複数の送信アンテナを用いて空間多重を行なうための処理部などが構成されてもよい。
【００９５】
送信処理部４０７は、情報データ、制御情報（ＵＣＩ）に対して符号化、変調を行ない、上りリンクシステム帯域内のＰＵＳＣＨ、ＰＵＣＣＨを用いて送信する信号を生成する。ターボ符号部６１１は、入力された情報データを、制御部４０５から指示された符号化率で、データの誤り耐性を高めるためのターボ符号化を行ない、データ変調部６１３に出力する。データ変調部６１３は、ターボ符号部６１１が符号化した符号データを、制御部４０５から指示された変調方式、例えば、ＱＰＳＫ、１６ＱＡＭ、６４ＱＡＭのような変調方式で変調し、変調シンボルの信号系列を生成する。データ変調部６１３は、生成した変調シンボルの信号系列を、ＤＦＴ部６１５に出力する。ＤＦＴ部６１５は、データ変調部６１３が出力した信号を離散フーリエ変換し、サブキャリアマッピング部６２１に出力する。
【００９６】
物理上りリンク制御チャネル処理部６１９は、制御部４０５から入力されたＵＣＩを伝送するためのベースバンド信号処理を行なう。物理上りリンク制御チャネル処理部６１９に入力されるＵＣＩは、ＡＣＫ／ＮＡＣＫ、ＳＲ、ＣＱＩである。物理上りリンク制御チャネル処理部６１９は、ベースバンド信号処理を行ない、生成した信号をサブキャリアマッピング部６２１に出力する。物理上りリンク制御チャネル処理部６１９は、制御部４０５からの指示に基づき、以下の処理を行なう。先ず、ＰＵＣＣＨの送信方法として、複数の送信アンテナを用いてダイバーシチ送信せず、ＰＵＣＣＨを１本の送信アンテナを用いて送信する送信方法が基地局装置３から通知され、移動局装置５において設定されている場合の処理について説明する。なお、この場合に用いられる１本の送信アンテナは送信アンテナ４１１−１とし、サブキャリアマッピング部６２１−１、ＩＦＦＴ部６２３−１、乗算部６２４−１、ＧＩ挿入部６２５−１、Ｄ／Ａ部６０５−１、送信ＲＦ部６０７−１が用いられる場合について説明する。物理上りリンク制御チャネル処理部６１９は、入力された１個のＡＣＫ／ＮＡＣＫに対して制御部４０５から入力された符号を用いて１個のＰＵＣＣＨを用いて送信される信号を生成し、サブキャリアマッピング部６２１−１に出力する。物理上りリンク制御チャネル処理部６１９は、入力された１個のＳＲに対して制御部４０５から入力された符号を用いて１個のＰＵＣＣＨを用いて送信される信号を生成し、サブキャリアマッピング部６２１−１に出力する。物理上りリンク制御チャネル処理部６１９は、入力された１個のＣＱＩに対して制御部４０５から入力された符号を用いて１個のＰＵＣＣＨを用いて送信される信号を生成し、サブキャリアマッピング部６２１−１に出力する。物理上りリンク制御チャネル処理部６１９は、入力された１個のＡＣＫ／ＮＡＣＫと１個のＣＱＩに対して制御部４０５から入力された符号を用いて１個のＰＵＣＣＨを用いて送信される信号を生成し、サブキャリアマッピング部６２１−１に出力する。
【００９７】
次に、ＰＵＣＣＨの送信方法として、複数の送信アンテナを用いてダイバーシチ送信するダイバーシチ送信方法が基地局装置３から通知され、移動局装置５において設定されている場合の処理について説明する。この場合、制御部４０５は管理部４０５１で同時に発生したＵＣＩの個数に応じて複数の送信アンテナを用いてダイバーシチ送信せず、ＰＵＣＣＨを単一の送信アンテナを用いて送信する送信方法、または複数の送信アンテナを用いてダイバーシチ送信するダイバーシチ送信方法の何れの送信方法を用いるかを決定し、決定した送信方法を用いてＰＵＣＣＨを送信するように物理上りリンク制御チャネル処理部６１９を制御する。物理上りリンク制御チャネル処理部６１９は、入力された１個のＡＣＫ／ＮＡＣＫに対して制御部４０５から入力された２種類の符号を用いて２個のＰＵＣＣＨを用いて送信される信号を生成し、生成した各信号をサブキャリアマッピング部６２１−１とサブキャリアマッピング部６２１−２に出力する。物理上りリンク制御チャネル処理部６１９は、入力された１個のＳＲに対して制御部４０５から入力された２種類の符号を用いて２個のＰＵＣＣＨを用いて送信される信号を生成し、生成した各信号をサブキャリアマッピング部６２１−１とサブキャリアマッピング部６２１−２に出力する。物理上りリンク制御チャネル処理部６１９は、入力された１個のＣＱＩに対して制御部４０５から入力された２種類の符号を用いて２個のＰＵＣＣＨを用いて送信される信号を生成し、生成した各信号をサブキャリアマッピング部６２１−１とサブキャリアマッピング部６２１−２に出力する。物理上りリンク制御チャネル処理部６１９は、入力された１個のＡＣＫ／ＮＡＣＫと１個のＣＱＩに対して制御部から入力された２種類の符号を用いて２個のＰＵＣＣＨを用いて送信される信号を生成し、生成した各信号をサブキャリアマッピング部６２１−１とサブキャリアマッピング部６２１−２に出力する。なお、この場合、異なる種類のＵＣＩから生成された信号が異なるサブキャリアマッピング部６２１に出力されればよく、ＡＣＫ／ＮＡＣＫから生成された信号がサブキャリアマッピング部６２１−１に出力され、ＣＱＩから生成された信号がサブキャリアマッピング部６２１−２に出力されてもよいし、ＡＣＫ／ＮＡＣＫから生成された信号がサブキャリアマッピング部６２１−２に出力され、ＣＱＩから生成された信号がサブキャリアマッピング部６２１−１に出力されてもよい。物理上りリンク制御チャネル処理部６１９は、入力された１個のＳＲと１個のＣＱＩに対して制御部から入力された２種類の符号を用いて２個のＰＵＣＣＨを用いて送信される信号を生成し、生成した各信号をサブキャリアマッピング部６２１−１とサブキャリアマッピング部６２１−２に出力する。なお、ＳＲから生成された信号がサブキャリアマッピング部６２１−１に出力され、ＣＱＩから生成された信号がサブキャリアマッピング部６２１−２に出力されてもよいし、ＳＲから生成された信号がサブキャリアマッピング部６２１−２に出力され、ＣＱＩから生成された信号がサブキャリアマッピング部６２１−１に出力されてもよい。物理上りリンク制御チャネル処理部６１９は、入力された１個のＡＣＫ／ＮＡＣＫと１個のＳＲに対して制御部から入力された２種類の符号を用いて２個のＰＵＣＣＨを用いて送信される信号を生成し、生成した各信号をサブキャリアマッピング部６２１−１とサブキャリアマッピング部６２１−２に出力する。なお、ＡＣＫ／ＮＡＣＫから生成された信号がサブキャリアマッピング部６２１−１に出力され、ＳＲから生成された信号がサブキャリアマッピング部６２１−２に出力されてもよいし、ＡＣＫ／ＮＡＣＫから生成された信号がサブキャリアマッピング部６２１−２に出力され、ＳＲから生成された信号がサブキャリアマッピング部６２１−１に出力されてもよい。物理上りリンク制御チャネル処理部６１９は、入力された１個のＡＣＫ／ＮＡＣＫと１個のＳＲと１個のＣＱＩに対して制御部から入力された２種類の符号を用いて２個のＰＵＣＣＨを用いて送信される信号を生成する。物理上りリンク制御チャネル処理部６１９は、ＡＣＫ／ＮＡＣＫとＣＱＩに対して１個のＰＵＣＣＨを用いて送信される信号と、ＳＲに対して１個のＰＵＣＣＨを用いて送信される信号を生成し、生成した各信号をサブキャリアマッピング部６２１−１とサブキャリアマッピング部６２１−２に出力する。なお、ＡＣＫ／ＮＡＣＫとＣＱＩから生成された信号がサブキャリアマッピング部６２１−１に出力され、ＳＲから生成された信号がサブキャリアマッピング部６２１−２に出力されてもよいし、ＡＣＫ／ＮＡＣＫとＣＱＩから生成された信号がサブキャリアマッピング部６２１−２に出力され、ＳＲから生成された信号がサブキャリアマッピング部６２１−１に出力されてもよい。なお、物理上りリンク制御チャネル処理部６１９は、ＵＣＩを変調した信号に対して周波数領域で制御部４０５より入力された符号を乗算する処理を行なう。詳細には、物理上りリンク制御チャネル処理部６１９は、符号系列の各要素を各サブキャリアに配置される変調シンボルに乗算する。
【００９８】
上りリンクパイロットチャネル処理部６１７は、基地局装置３において既知の信号である上りリンク参照信号を制御部４０５からの指示に基づき生成し、サブキャリアマッピング部６２１に出力する。なお、上りリンクパイロットチャネル処理部６１７は、制御部４０５からの指示に基づき、物理上りリンク制御チャネル処理部６１９から両方のサブキャリアマッピング部６２１（サブキャリアマッピング部６２１−１、６２１−２）にＵＣＩから生成された信号が出力される場合に、両方のサブキャリアマッピング部６２１に上りリンク参照信号を出力する。
【００９９】
サブキャリアマッピング部６２１は、上りリンクパイロットチャネル処理部６１７から入力された信号と、ＤＦＴ部６１５から入力された信号と、物理上りリンク制御チャネル処理部６１９から入力された信号とを、制御部４０５からの指示に従ってサブキャリアに配置し、ＩＦＦＴ部６２３に出力する。なお、制御部４０５の配置部４０５３で決定され、サブキャリアマッピング部６２１が物理上りリンク制御チャネル処理部６１９から出力された信号を配置するＰＵＣＣＨのリソースの詳細については後述する。
【０１００】
ＩＦＦＴ部６２３は、サブキャリアマッピング部６２１が出力した信号を高速逆フーリエ変換し、乗算部６２４に出力する。ここで、ＩＦＦＴ部６２３のポイント数はＤＦＴ部６１５のポイント数よりも多く、移動局装置５は、ＤＦＴ部６１５、サブキャリアマッピング部６２１、ＩＦＦＴ部６２３を用いることにより、ＰＵＳＣＨを用いて送信する信号に対してＤＦＴ−Ｓｐｒｅａｄ−ＯＦＤＭ方式の変調を行なう。乗算部６２４は、制御部４０５からの指示に従ってＳＣ−ＦＤＭＡシンボル単位で直交符号を乗算して、ＧＩ挿入部６２５に出力する。ここで、制御部４０５は、ＡＣＫ／ＮＡＣＫのみを含むＰＵＣＣＨの信号、ＳＲのみを含むＰＵＣＣＨの信号に対して直交系列の各直交符号を時間領域でＳＣ−ＦＤＭＡシンボルに乗算するように乗算部６２４を制御し、ＣＱＩを少なくとも含むＰＵＣＣＨの信号、ＰＵＳＣＨの信号に対しては何も乗算せずに入力された信号をそのまま出力するように乗算部６２４を制御する。ＧＩ挿入部６２５は、乗算部６２４から入力された信号に、ガードインターバルを付加し、Ｄ／Ａ部６０５に出力する。
【０１０１】
Ｄ／Ａ部６０５は、ＧＩ挿入部６２５から入力されたベースバンドのディジタル信号をアナログ信号に変換し、送信ＲＦ部６０７に出力する。送信ＲＦ部６０７は、Ｄ／Ａ部６０５から入力されたアナログ信号から、中間周波数の同相成分および直交成分を生成し、中間周波数帯域に対する余分な周波数成分を除去する。次に、送信ＲＦ部６０７は、中間周波数の信号を高周波数の信号に変換（アップコンバート）し、余分な周波数成分を除去し、電力増幅し、送信アンテナ４１１を介して、基地局装置３に送信する。以上の構成により、送信処理部４０７は、制御部４０５の制御に基づき複数の送信アンテナを用いてダイバーシチ送信せず、ＰＵＣＣＨを単一の送信アンテナを用いて送信する送信方法、または複数の送信アンテナを用いてダイバーシチ送信するダイバーシチ送信方法、または１本の送信アンテナを用いて１個のＰＵＣＣＨを送信する送信方法を用いてＰＵＣＣＨの信号を送信する。例えば、ダイバーシチ送信方法を用いたＰＵＣＣＨの信号の送信として、物理上りリンク制御チャネル処理部６１９において１個のＡＣＫ／ＮＡＣＫに基づき２個の信号が生成され、つまり２個のＰＵＣＣＨを用いて送信される信号が生成され、２個の送信アンテナ４１１（送信アンテナ４１１−１、４１１−２）から同一のＡＣＫ／ＮＡＣＫに基づく信号が含まれるＰＵＣＣＨが送信される。
【０１０２】
＜ＡＣＫ／ＮＡＣＫ用のＰＵＣＣＨのリソースの割り当て＞
ＡＣＫ／ＮＡＣＫ用のＰＵＣＣＨのリソースの割り当てについて説明する。ＡＣＫ／ＮＡＣＫ用のＰＵＣＣＨのリソースはＰＤＣＣＨに用いられるリソースと予め対応付けられる。ＰＤＣＣＨは、複数の制御チャネルエレメント（CCE:Control Channel Element）により構成される。無線通信システム１で用いられるＣＣＥの数は、下りリンクシステム帯域幅と、ＰＤＣＣＨを構成するＯＦＤＭシンボル数と、通信に用いる基地局装置３の送信アンテナ１１１の数に応じた下りリンクパイロットチャネルの下りリンク参照信号の数に依存する。ＣＣＥは、後述するように、複数の下りリンクリソースエレメントにより構成される。
【０１０３】
図７は、ＰＤＣＣＨとＣＣＥの論理的な関係を説明する図である。基地局装置３と移動局装置５間で用いられるＣＣＥには、ＣＣＥを識別するための番号が付与されている。ＣＣＥの番号付けは、予め決められた規則に基づいて行なわれる。ここで、ＣＣＥ  ｔは、ＣＣＥ番号ｔのＣＣＥを示す。ＰＤＣＣＨは、複数のＣＣＥからなる集合（CCE Aggregation）により構成される。この集合を構成するＣＣＥの数を、以下、「ＣＣＥ集合数」（CCE aggregation number）と称す。ＰＤＣＣＨを構成するＣＣＥ  ａｇｇｒｅｇａｔｉｏｎ  ｎｕｍｂｅｒは、ＰＤＣＣＨに設定される符号化率、ＰＤＣＣＨに含められるＤＣＩのビット数に応じて基地局装置３において設定される。また、ｎ個のＣＣＥからなる集合を、以下、「ＣＣＥ  ａｇｇｒｅｇａｔｉｏｎ  ｎ」という。例えば、基地局装置３は、１個のＣＣＥによりＰＤＣＣＨを構成したり（ＣＣＥ  ａｇｇｒｅｇａｔｉｏｎ  １）、２個のＣＣＥによりＰＤＣＣＨを構成したり（ＣＣＥ  ａｇｇｒｅｇａｔｉｏｎ  ２）、４個のＣＣＥによりＰＤＣＣＨを構成したり（ＣＣＥ  ａｇｇｒｅｇａｔｉｏｎ  ４）、８個のＣＣＥによりＰＤＣＣＨを構成したりする（ＣＣＥ  ａｇｇｒｅｇａｔｉｏｎ  ８）。例えば、基地局装置３はチャネル品質の良い移動局装置３に対してはＰＤＣＣＨを構成するＣＣＥの数が少ないＣＣＥ  ａｇｇｒｅｇａｔｉｏｎ  ｎｕｍｂｅｒを用い、チャネル品質の悪い移動局装置３に対してはＰＤＣＣＨを構成するＣＣＥの数が多いＣＣＥ  ａｇｇｒｅｇａｔｉｏｎ  ｎｕｍｂｅｒを用いる。また、例えば、基地局装置３はビット数の少ないＤＣＩを送信する場合、ＰＤＣＣＨを構成するＣＣＥの数が少ないＣＣＥ  ａｇｇｒｅｇａｔｉｏｎ  ｎｕｍｂｅｒを用い、ビット数の多いＤＣＩを送信する場合、ＰＤＣＣＨを構成するＣＣＥの数が多いＣＣＥ  ａｇｇｒｅｇａｔｉｏｎ  ｎｕｍｂｅｒを用いる。
【０１０４】
ＣＣＥを構成する複数の下りリンクリソースエレメントは、複数のリソースエレメントグループ（REG、mini-CCEとも称す）により構成される。リソースエレメントグループは複数の下りリンクリソースエレメントから構成される。例えば、１個のリソースエレメントグループは４個の下りリンクリソースエレメントから構成される。図８は、下りリンク無線フレームにおけるリソースエレメントグループの配置例を示す図である。ここでは、ＰＤＣＣＨが１番目から３番目までのＯＦＤＭシンボルにより構成され、２本の送信アンテナ（送信アンテナ１、送信アンテナ２）の下りリンクパイロットチャネルに対応する下りリンク参照信号が配置される場合について示す。この図において、縦軸は周波数領域、横軸は時間領域を表わしている。
【０１０５】
図８の配置例では、１個のリソースエレメントグループは周波数領域の隣接する４個の下りリンクリソースエレメントにより構成される。図８において、ＰＤＣＣＨの同一の符号が付された下りリンクリソースエレメントは、同一のリソースエレメントグループに属することを示す。なお、下りリンクパイロットチャネルが配置されたリソースエレメントＲ１（送信アンテナ１の下りリンクパイロットチャネルの信号）、Ｒ２（送信アンテナ２の下りリンクパイロットチャネルの信号）は飛ばされて、リソースエレメントグループが構成される。図８では、周波数が最も低く、１番目のＯＦＤＭシンボルのリソースエレメントグループから番号付け（符号「１」）が行なわれ、次に周波数が最も低く、２番目のＯＦＤＭシンボルのリソースエレメントグループに番号付け（符号「２」）が行なわれ、次に周波数が最も低く、３番目のＯＦＤＭシンボルのリソースエレメントグループに番号付け（符号「３」）が行なわれることを示す。また、図８では、次に下りリンクパイロットチャネルが配置されない２番目のＯＦＤＭシンボルの番号付け（符号「２」）が行なわれたリソースエレメントグループの周波数の隣接するリソースエレメントグループに番号付け（符号「４」）が行なわれ、次に下りリンクパイロットチャネルが配置されない３番目のＯＦＤＭシンボルの番号付け（符号「３」）が行なわれたリソースエレメントグループの周波数の隣接するリソースエレメントグループに番号付け（符号「５」）が行なわれることを示す。さらに、図８では、次に１番目のＯＦＤＭシンボルの番号付け（符号「１」）が行なわれたリソースエレメントグループの周波数の隣接するリソースエレメントグループに番号付け（符号「６」）が行なわれ、次に２番目のＯＦＤＭシンボルの番号付け（符号「４」）が行なわれたリソースエレメントグループの周波数の隣接するリソースエレメントグループに番号付け（符号「７」）が行なわれ、次に３番目のＯＦＤＭシンボルの番号付け（符号「５」）が行なわれたリソースエレメントグループの周波数の隣接するリソースエレメントグループに番号付け（符号「８」）が行なわれることを示す。以降のリソースエレメントグループに対しても同様の番号付けが行なわれる。
【０１０６】
ＣＣＥは、図８に示すように構成された複数のリソースエレメントグループにより構成される。例えば、１個のＣＣＥは、周波数領域及び時間領域に分散した９個の異なるリソースエレメントグループにより構成される。具体的には、下りリンクシステム帯域全体に対して、この図のように番号付けされた全てのリソースエレメントグループに対してブロックインタリーバを用いてリソースエレメントグループ単位でインタリーブが行なわれ、インタリーブ後の番号の連続する９個のリソースエレメントグループにより１個のＣＣＥが構成される。
【０１０７】
図９は、ＡＣＫ／ＮＡＣＫ用のＰＵＣＣＨの構成と番号を示す図である。また、図９では、各上りリンク無線フレームに４８個のＡＣＫ／ＮＡＣＫ用のＰＵＣＣＨが構成される場合について示す。また、図９では、ＡＣＫ／ＮＡＣＫ用のＰＵＣＣＨに２個の上りリンク物理リソースブロックペア（ＰＲＢ  ｐａｉｒ）（ＰＲＢ  ｐａｉｒ  １、ＰＲＢ  ｐａｉｒ  ２）、４個の周波数領域の符号（周波数領域のＣｏｄｅ）（周波数領域のＣｏｄｅ  １、周波数領域のＣｏｄｅ  ２、周波数領域のＣｏｄｅ  ３、周波数領域のＣｏｄｅ  ４）、３個の時間領域の符号（時間領域のＣｏｄｅ）（時間領域のＣｏｄｅ  １、時間領域のＣｏｄｅ  ２、時間領域のＣｏｄｅ  ３）が用いられる場合について示す。なお、図９に示す数とは異なる個数の上りリンク物理リソースブロックペア、周波数領域の符号、時間領域の符号が用いられてもよく、図９に示す数とは異なる個数のＰＵＣＣＨが構成されてもよい。なお、ここで示す上りリンク物理リソースブロックペアの番号は、ＡＣＫ／ＮＡＣＫ用のＰＵＣＣＨに用いられる上りリンク物理リソースブロックペアの番号を示し、例えば、上りリンクのシステム帯域で最も周波数の低い上りリンク物理リソースブロックペアの番号を一義的に示すものではない。図９に示す各ＰＵＣＣＨは、上りリンク物理リソースブロックペア、周波数領域の符号、時間領域の符号の異なる組み合わせから構成され、周波数領域、または周波数領域での符号領域、または時間領域での符号領域で直交関係にある。
【０１０８】
図７に示すＣＣＥと図９に示すＡＣＫ／ＮＡＣＫ用のＰＵＣＣＨは予め対応付けられる。ＣＣＥの番号とＡＣＫ／ＮＡＣＫ用のＰＵＣＣＨの番号が予め対応付けられ、同じ番号のＣＣＥとＡＣＫ／ＮＡＣＫ用のＰＵＣＣＨが対応付けられる。例えば、ＣＣＥ  １はＰＵＣＣＨ  １と対応し、ＣＣＥ  ２はＰＵＣＣＨ  ２と対応する。移動局装置５は、自装置宛てのＤＣＩを検出したＰＤＣＣＨに用いられるＣＣＥの中で最も番号の小さいＣＣＥと対応する番号のＰＵＣＣＨのリソースを用いて、そのＰＤＣＣＨによってリソースの割り当てが示されたＰＤＳＣＨのデータに対するＡＣＫ／ＮＡＣＫを送信する。基地局装置３は、ＣＣＥとＡＣＫ／ＮＡＣＫ用のＰＵＣＣＨの対応付けを移動局装置５と同様に認識しており、移動局装置５に割り当てるＡＣＫ／ＮＡＣＫ用のＰＵＣＣＨのリソースを考慮してＰＤＣＣＨに用いるＣＣＥを割り当てる。つまり、移動局装置５は、自装置宛てのＤＣＩを検出したＰＤＣＣＨに用いられるＣＣＥに基づき、自装置に割り当てられたＡＣＫ／ＮＡＣＫ用のＰＵＣＣＨのリソースを認識する。
【０１０９】
移動局装置５は、複数のＣＣＥ  ａｇｇｒｅｇａｔｉｏｎ  ｎｕｍｂｅｒを想定して、自装置宛てのＤＣＩを検出する処理を行なう。移動局装置５は、想定するＣＣＥ  ａｇｇｒｅｇａｔｉｏｎ  ｎｕｍｂｅｒ毎に異なる復号処理をＰＤＣＣＨの信号に対して行ない、ＣＲＣ符号に誤りが検出されなかったＰＤＣＣＨに含まれるＤＣＩを取得する。このような処理をブラインドデコーディングと称す。なお、移動局装置５は、下りリンクシステム帯域の全てのＣＣＥの信号に対してブラインドデコーディングを行なうのではなく、一部のＣＣＥに対してのみブラインドデコーディングを行なうようにしてもよい。また、ＣＣＥ  ａｇｇｒｅｇａｔｉｏｎ  ｎｕｍｂｅｒ毎に異なるＣＣＥに対してブラインドデコーディングを行なうようにしてもよい。
【０１１０】
移動局装置５は、ＰＵＣＣＨを１本の送信アンテナを用いて送信する送信方法を用いてＡＣＫ／ＮＡＣＫから生成される信号を１個のＰＵＣＣＨを用いて送信する場合、自装置宛てのＤＣＩを検出したＰＤＣＣＨに用いられたＣＣＥの中で最も番号の小さいＣＣＥと対応するＡＣＫ／ＮＡＣＫ用のＰＵＣＣＨのリソースを用いる。
【０１１１】
ダイバーシチ送信方法を用いてＡＣＫ／ＮＡＣＫが送信される場合、複数個のＰＵＣＣＨのリソースが用いられる。この場合、ＰＤＣＣＨに用いられるＣＣＥの中で最も番号の小さいＣＣＥだけではなく、その他の番号のＣＣＥと対応するＰＵＣＣＨのリソースも用いられる。例えば、ＰＤＣＣＨに用いられるＣＣＥの中で最も番号の小さいＣＣＥから番号が大きい方向に連続するＣＣＥと対応するＰＵＣＣＨのリソースが用いられる。例えば、２本の送信アンテナを用いたダイバーシチ送信方法によりＡＣＫ／ＮＡＣＫから生成される信号が２個のＰＵＣＣＨを用いて送信される場合、移動局装置５は、自装置宛てのＤＣＩを検出したＰＤＣＣＨに用いられるＣＣＥの中で最も番号の小さいＣＣＥに対応するＰＵＣＣＨのリソースと、２番目に番号の小さいＣＣＥに対応するＰＵＣＣＨのリソースを用いて同一の内容を示すＡＣＫ／ＮＡＣＫから生成した信号を送信する。例えば、３本の送信アンテナを用いたダイバーシチ送信方法によりＡＣＫ／ＮＡＣＫから生成される信号が３個のＰＵＣＣＨを用いて送信される場合、移動局装置５は、自装置宛てのＤＣＩを検出したＰＤＣＣＨに用いられるＣＣＥの中で最も番号の小さいＣＣＥに対応するＰＵＣＣＨのリソースと、２番目に番号の小さいＣＣＥに対応するＰＵＣＣＨのリソースと、３番目に番号の小さいＣＣＥに対応するＰＵＣＣＨのリソースを用いて同一の内容を示すＡＣＫ／ＮＡＣＫから生成した信号を送信する。なお、移動局装置５は、自装置宛てのＤＣＩを検出したＰＤＣＣＨが１個のＣＣＥから構成されている場合、ダイバーシチ送信方法を用いず、１本の送信アンテナを用いた送信方法により１個のＰＵＣＣＨを用いてＡＣＫ／ＮＡＣＫから生成した信号を送信するようにしてもよい。なお、移動局装置５は、自装置宛てのＤＣＩを検出したＰＤＣＣＨが１個のＣＣＥから構成されている場合、自装置宛てのＤＣＩを検出したＰＤＣＣＨには構成されないが、自装置宛ての信号を検出したＣＣＥに対して下りリンク無線フレーム内で次の番号のＣＣＥと対応するＰＵＣＣＨのリソースを用いて、ダイバーシチ送信方法によりＡＣＫ／ＮＡＣＫから生成した信号を送信するようにしてもよい。言い換えると、移動局装置５は、自装置宛てのＤＣＩを検出したＰＤＣＣＨが１個のＣＣＥから構成されている場合、そのＣＣＥと対応するＰＵＣＣＨのリソースと、次の番号のＰＵＣＣＨのリソースを用いてダイバーシチ送信方法でＡＣＫ／ＮＡＣＫから生成した信号を送信するようにしてもよい。なお、移動局装置５は、基地局装置３から予めダイバーシチ送信方法で用いるＡＣＫ／ＮＡＣＫ用のＰＵＣＣＨのリソースが割り当てられ、予め割り当てられたＰＵＣＣＨのリソースを用いてＡＣＫ／ＮＡＣＫから生成した信号をダイバーシチ送信方法で送信するようにしてもよい。例えば、ダイバーシチ送信方法で用いるＡＣＫ／ＮＡＣＫ用のＰＵＣＣＨのリソースの割り当てを示す情報がＰＤＳＣＨを用いて基地局装置３から移動局装置５に予め通知される。なお、移動局装置５は、基地局装置３からＰＤＳＣＨを用いて通知され、予め割り当てられたＰＵＣＣＨのリソースと、自装置宛てのＤＣＩを検出したＰＤＣＣＨに用いられるＣＣＥと対応するＰＵＣＣＨのリソースとを併用して、ＡＣＫ／ＮＡＣＫから生成した信号をダイバーシチ送信方法で送信するようにしてもよい。
【０１１２】
ＳＲ用のＰＵＣＣＨのリソースと、ＣＱＩ用のＰＵＣＣＨのリソースは、基地局装置３から移動局装置５に予め割り当てられる。ＳＲ用のＰＵＣＣＨのリソースの割り当てを示す情報はＰＤＳＣＨを用いて基地局装置３から移動局装置５に予め通知され、リソースを構成する上りリンク物理リソースブロックペアを示す情報、リソースを構成する周波数領域の符号を示す情報、リソースを構成する時間領域の符号を示す情報、リソースが配置される上りリンクサブフレームの周期を示す情報、リソースの割り当てが開始される上りリンクサブフレームを示す情報が通知される。ＣＱＩ用のＰＵＣＣＨのリソースの割り当てを示す情報はＰＤＳＣＨを用いて基地局装置３から移動局装置５に予め通知され、リソースを構成する上りリンク物理リソースブロックペアを示す情報、リソースを構成する周波数領域の符号を示す情報、リソースが配置される上りリンクサブフレームの周期を示す情報、リソースの割り当てが開始される上りリンクサブフレームを示す情報が通知される。また、ダイバーシチ送信方法を用いてＳＲ、ＣＱＩが送信される場合、複数個のＰＵＣＣＨのリソースが用いられる。ダイバーシチ送信方法のためのＳＲ用のＰＵＣＣＨのリソースの割り当てを示す情報として、更に複数個のリソースを構成する上りリンク物理リソースブロックペアを示す情報、リソースを構成する周波数領域の符号を示す情報、リソースを構成する時間領域の符号を示す情報が基地局装置３から移動局装置５に予め通知される。ダイバーシチ送信方法のためのＣＱＩ用のＰＵＣＣＨのリソースの割り当てを示す情報として、更に複数個のリソースを構成する上りリンク物理リソースブロックペアを示す情報、リソースを構成する周波数領域の符号を示す情報が基地局装置３から移動局装置５に予め通知される。なお、移動局装置５がダイバーシチ送信方法で用いる送信アンテナの個数に対応した数のＰＵＣＣＨのリソースの割り当てを示す情報が基地局装置３から移動局装置５に予め通知される。なお、複数個のＰＵＣＣＨのリソースは同じ上りリンク物理リソースブロックペアから構成されたり、同じ周波数領域の符号から構成されたり、同じ時間領域の符号から構成されるという制約を設けて、いくつかの情報が基地局装置３から移動局装置５に対して通知されないようにしてもよいし、その他の情報と関連付けてＰＵＣＣＨのリソースの割り当てが示されるようにしてもよい。なお、基地局装置３はＰＵＣＣＨのリソースの番号を示す情報のみを移動局装置５に通知し、移動局装置５は通知されたＰＵＣＣＨのリソースの番号を示す情報とその他の情報から自装置に割り当てられたＰＵＣＣＨのリソースの構成を認識するようにしてもよい。
【０１１３】
図１０は、基地局装置３から通知され、複数の送信アンテナを用いてダイバーシチ送信せず、ＰＵＣＣＨを１本の送信アンテナ（送信アンテナ１）を用いて送信する送信方法が移動局装置５において設定されている場合のＵＣＩの送信例を説明する図である。移動局装置５は、ＡＣＫ／ＮＡＣＫのみを送信する場合、ＡＣＫ／ＮＡＣＫ用のＰＵＣＣＨのリソースを用いて送信アンテナ１でＡＣＫ／ＮＡＣＫから生成した信号を送信する（Ｃａｓｅ１）。なお、移動局装置５は、ＡＣＫ／ＮＡＣＫを送信する上りリンクサブフレームでＳＲ用のＰＵＣＣＨのリソースが割り当てられていても、ＳＲが発生しなかった場合、ＡＣＫ／ＮＡＣＫ用のＰＵＣＣＨのリソースを用いて送信アンテナ１でＡＣＫ／ＮＡＣＫから生成した信号を送信する（Ｃａｓｅ１）。移動局装置５は、ＳＲのみを送信する場合、ＳＲ用のＰＵＣＣＨのリソースを用いて送信アンテナ１でＳＲから生成した信号を送信する（Ｃａｓｅ２）。移動局装置５は、ＣＱＩのみを送信する場合、ＣＱＩ用のＰＵＣＣＨのリソースを用いて送信アンテナ１でＣＱＩから生成した信号を送信する（Ｃａｓｅ３）。移動局装置５は、ＡＣＫ／ＮＡＣＫとＣＱＩの両方を送信する場合、ＣＱＩ用のＰＵＣＣＨのリソースを用いて送信アンテナ１でＡＣＫ／ＮＡＣＫとＣＱＩから生成した信号を送信する（Ｃａｓｅ４）。ここで、移動局装置５は、ＡＣＫ／ＮＡＣＫとＣＱＩを一緒に符号化して生成した信号を送信したり、ＣＱＩ用のＰＵＣＣＨのリソースを構成する上りリンク物理リソースブロックペア内のＵＬ  ＲＳをＡＣＫ／ＮＡＣＫの内容に応じて変調した信号を送信したりすることができ、どちらの送信方法を用いるかは基地局装置３によって予め設定される。移動局装置５は、ＡＣＫ／ＮＡＣＫとＳＲの両方を送信する場合、ＳＲ用のＰＵＣＣＨのリソースを用いて送信アンテナ１でＡＣＫ／ＮＡＣＫから生成した信号を送信する（Ｃａｓｅ５）。ここで、基地局装置３は、ＳＲ用のＰＵＣＣＨのリソースで信号を検出することで移動局装置５がリソースの割り当てを要求していると判断し、ＰＵＣＣＨのリソースに配置された信号を復調して、復調した情報からＡＣＫ／ＮＡＣＫを判断する。
【０１１４】
図１０で示される各ＵＣＩの送信例において、ＰＵＣＣＨの信号に用いるＵＣＩの検出処理の詳細を説明する。Ｃａｓｅ１において、基地局装置３の制御部１０５は、無線リソース制御部１０３からＡＣＫ／ＮＡＣＫ用のＰＵＣＣＨのリソースの割り当てを示す制御信号と、１本の送信アンテナを用いて送信された１個のＰＵＣＣＨの信号からＵＣＩを検出する処理を示す制御信号が入力され、物理上りリンク制御チャネル検出部３２９は制御部１０５からの指示に基づきＡＣＫ／ＮＡＣＫ用のＰＵＣＣＨの信号に対して１本の送信アンテナを用いて送信された１個のＰＵＣＣＨの信号からＵＣＩを検出する処理を行なう。Ｃａｓｅ２において、基地局装置３の制御部１０５は、無線リソース制御部１０３からＳＲ用のＰＵＣＣＨのリソースの割り当てを示す制御信号と、１本の送信アンテナを用いて送信された１個のＰＵＣＣＨの信号からＵＣＩを検出する処理を示す制御信号が入力され、物理上りリンク制御チャネル検出部３２９は制御部１０５からの指示に基づきＳＲ用のＰＵＣＣＨの信号に対して１本の送信アンテナを用いて送信された１個のＰＵＣＣＨの信号からＵＣＩを検出する処理を行なう。Ｃａｓｅ３において、基地局装置３の制御部１０５は、無線リソース制御部１０３からＣＱＩ用のＰＵＣＣＨのリソースの割り当てを示す制御信号と、１本の送信アンテナを用いて送信された１個のＰＵＣＣＨの信号からＵＣＩを検出する処理を示す制御信号が入力され、物理上りリンク制御チャネル検出部３２９は制御部１０５からの指示に基づきＣＱＩ用のＰＵＣＣＨの信号に対して１本の送信アンテナを用いて送信された１個のＰＵＣＣＨの信号からＵＣＩを検出する処理を行なう。Ｃａｓｅ４において、基地局装置３の制御部１０５は、無線リソース制御部１０３からＡＣＫ／ＮＡＣＫ用のＰＵＣＣＨのリソースの割り当てを示す制御信号と、ＣＱＩ用のＰＵＣＣＨのリソースの割り当てを示す制御信号と、１本の送信アンテナを用いて送信された１個のＰＵＣＣＨの信号からＵＣＩを検出する処理を示す制御信号が入力され、物理上りリンク制御チャネル検出部３２９は制御部１０５からの指示に基づきＣＱＩ用のＰＵＣＣＨの信号に対して１本の送信アンテナを用いて送信された１個のＰＵＣＣＨの信号からＵＣＩを検出する処理を行なう。なお、Ｃａｓｅ５において、物理上りリンク制御チャネル検出部３２９は、ＵＬ  ＲＳから信号を復調する処理、またはＣａｓｅ３の場合とは異なる復号処理を行なう。Ｃａｓｅ５において、基地局装置３の制御部１０５は、無線リソース制御部１０３からＡＣＫ／ＮＡＣＫ用のＰＵＣＣＨのリソースの割り当てを示す制御信号と、ＳＲ用のＰＵＣＣＨのリソースの割り当てを示す制御信号と、１本の送信アンテナを用いて送信された１個のＰＵＣＣＨの信号からＵＣＩを検出する処理を示す制御信号が入力され、物理上りリンク制御チャネル検出部３２９は制御部１０５からの指示に基づきＳＲ用のＰＵＣＣＨの信号に対して１本の送信アンテナを用いて送信された１個のＰＵＣＣＨの信号からＵＣＩを検出する処理を行なう。なお、物理上りリンク制御チャネル検出部３２９は、Ｃａｓｅ５に対する処理を行なう場合、Ｃａｓｅ１に対する処理も同時に行なう。
【０１１５】
図１１は、基地局装置３から通知され、複数の送信アンテナを用いてダイバーシチ送信するダイバーシチ送信方法が移動局装置５において設定されている場合のＵＣＩの送信例を説明する図である。この場合、移動局装置５はＰＵＣＣＨを複数の送信アンテナを用いてダイバーシチ送信するダイバーシチ送信方法、または複数の送信アンテナを用いてダイバーシチ送信せず、ＰＵＣＣＨを１本の送信アンテナを用いて送信する送信方法の何れかの送信方法により、ＵＣＩから生成した信号をＰＵＣＣＨを用いて送信する。なお、ここでは、送信アンテナの本数が２本（送信アンテナ１、送信アンテナ２）の場合について説明する。移動局装置５は、ＡＣＫ／ＮＡＣＫのみを送信する場合、ＡＣＫ／ＮＡＣＫ用の２個のＰＵＣＣＨのリソースを用いて送信アンテナ１と送信アンテナ２で同一のＡＣＫ／ＮＡＣＫから生成した信号を送信する（Ｃａｓｅ１０１）。移動局装置５は、ＳＲのみを送信する場合、ＳＲ用の２個のＰＵＣＣＨのリソースを用いて送信アンテナ１と送信アンテナ２で同一のＳＲから生成した信号を送信する（Ｃａｓｅ１０２）。移動局装置５は、ＣＱＩのみを送信する場合、ＣＱＩ用の２個のＰＵＣＣＨのリソースを用いて送信アンテナ１と送信アンテナ２で同一のＣＱＩから生成した信号を送信する（Ｃａｓｅ１０３）。移動局装置５は、ＡＣＫ／ＮＡＣＫとＣＱＩの両方を送信する場合、ＡＣＫ／ＮＡＣＫ用のＰＵＣＣＨのリソースを用いて送信アンテナ１でＡＣＫ／ＮＡＣＫから生成した信号を送信し、ＣＱＩ用のＰＵＣＣＨのリソースを用いて送信アンテナ２でＣＱＩから生成した信号を送信する（Ｃａｓｅ１０４）。移動局装置５は、ＳＲとＣＱＩの両方を送信する場合、ＳＲ用のＰＵＣＣＨのリソースを用いて送信アンテナ１でＳＲから生成した信号を送信し、ＣＱＩ用のＰＵＣＣＨのリソースを用いて送信アンテナ２でＣＱＩから生成した信号を送信する（Ｃａｓｅ１０５）。移動局装置５は、ＡＣＫ／ＮＡＣＫとＳＲの両方を送信する場合、ＡＣＫ／ＮＡＣＫ用のＰＵＣＣＨのリソースを用いて送信アンテナ１でＡＣＫ／ＮＡＣＫから生成した信号を送信し、ＳＲ用のＰＵＣＣＨのリソースを用いて送信アンテナ２でＳＲから生成した信号を送信する（Ｃａｓｅ１０６）。移動局装置５は、ＡＣＫ／ＮＡＣＫとＣＱＩとＳＲを送信する場合、ＣＱＩ用のＰＵＣＣＨのリソースを用いて送信アンテナ１でＡＣＫ／ＮＡＣＫとＣＱＩから生成した信号を送信し、ＳＲ用のＰＵＣＣＨのリソースを用いて送信アンテナ２でＳＲから生成した信号を送信する（Ｃａｓｅ１０７）。移動局装置５は、ＡＣＫ／ＮＡＣＫとＣＱＩとＳＲを送信する場合、ＳＲ用のＰＵＣＣＨのリソースを用いて送信アンテナ１でＡＣＫ／ＮＡＣＫとＳＲから生成した信号を送信し、ＣＱＩ用のＰＵＣＣＨのリソースを用いて送信アンテナ２でＣＱＩから生成した信号を送信する（Ｃａｓｅ１０８）。また、移動局装置５は、ＡＣＫ／ＮＡＣＫとＣＱＩとＳＲを送信する場合、Ｃａｓｅ１０７とＣａｓｅ１０８の何れの方法でＵＣＩを送信するかを基地局装置３から予め設定されてもよいし、Ｃａｓｅ１０７の方法だけを用いるように規格で決められてもよいし、またはＣａｓｅ１０８の方法だけを用いるように規格で決められてもよい。移動局装置５は、ＣＱＩ用のＰＵＣＣＨのリソースを用いてＡＣＫ／ＮＡＣＫとＣＱＩから生成した信号を送信するように基地局装置３から設定されていない場合、且つＣａｓｅ１０８の方法が用いられない場合、Ｃａｓｅ６のように、ＡＣＫ／ＮＡＣＫ用のＰＵＣＣＨのリソースを用いて送信アンテナ１でＡＣＫ／ＮＡＣＫから生成した信号を送信し、ＳＲ用のＰＵＣＣＨのリソースを用いて送信アンテナ２でＳＲから生成した信号を送信し、ＣＱＩを送信しない。
【０１１６】
図１１で示される各ＵＣＩの送信例において、ＰＵＣＣＨの信号に用いるＵＣＩの検出処理の詳細を説明する。Ｃａｓｅ１０１において、基地局装置３の制御部１０５は、無線リソース制御部１０３からＡＣＫ／ＮＡＣＫ用の２個のＰＵＣＣＨのリソースの割り当てを示す制御信号と、複数の送信アンテナを用いてダイバーシチ送信された複数のＰＵＣＣＨの信号を合成してＵＣＩを検出する処理を示す制御信号が入力され、物理上りリンク制御チャネル検出部３２９は制御部１０５からの指示に基づきＡＣＫ／ＮＡＣＫ用の２個のＰＵＣＣＨの信号に対して複数の送信アンテナを用いてダイバーシチ送信された複数のＰＵＣＣＨの信号を合成してＵＣＩを検出する処理を行なう。Ｃａｓｅ１０２において、基地局装置３の制御部１０５は、無線リソース制御部１０３からＳＲ用の２個のＰＵＣＣＨのリソースの割り当てを示す制御信号と、複数の送信アンテナを用いてダイバーシチ送信された複数のＰＵＣＣＨの信号を合成してＵＣＩを検出する処理を示す制御信号が入力され、物理上りリンク制御チャネル検出部３２９は制御部１０５からの指示に基づきＳＲ用の２個のＰＵＣＣＨの信号に対して複数の送信アンテナを用いてダイバーシチ送信された複数のＰＵＣＣＨの信号を合成してＵＣＩを検出する処理を行なう。Ｃａｓｅ１０３において、基地局装置３の制御部１０５は、無線リソース制御部１０３からＣＱＩ用の２個のＰＵＣＣＨのリソースの割り当てを示す制御信号と、複数の送信アンテナを用いてダイバーシチ送信された複数のＰＵＣＣＨの信号を合成してＵＣＩを検出する処理を示す制御信号が入力され、物理上りリンク制御チャネル検出部３２９は制御部１０５からの指示に基づきＣＱＩ用の２個のＰＵＣＣＨの信号に対して複数の送信アンテナを用いてダイバーシチ送信された複数のＰＵＣＣＨの信号を合成してＵＣＩを検出する処理を行なう。Ｃａｓｅ１０４において、基地局装置３の制御部１０５は、無線リソース制御部１０３からＡＣＫ／ＮＡＣＫ用の１個のＰＵＣＣＨのリソースの割り当てを示す制御信号と、ＣＱＩ用の１個のＰＵＣＣＨのリソースの割り当てを示す制御信号と、それぞれ単一の送信アンテナを用いて送信された複数のＰＵＣＣＨの信号を合成せずにＵＣＩを検出する処理を示す制御信号が入力され、物理上りリンク制御チャネル検出部３２９は制御部１０５からの指示に基づきＡＣＫ／ＮＡＣＫ用の１個のＰＵＣＣＨの信号とＣＱＩ用の１個のＰＵＣＣＨの信号に対してそれぞれ単一の送信アンテナを用いて送信された複数のＰＵＣＣＨの信号を合成せずにＵＣＩを検出する処理を行なう。Ｃａｓｅ１０５において、基地局装置３の制御部１０５は、無線リソース制御部１０３からＳＲ用の１個のＰＵＣＣＨのリソースの割り当てを示す制御信号と、ＣＱＩ用の１個のＰＵＣＣＨのリソースの割り当てを示す制御信号と、それぞれ単一の送信アンテナを用いて送信された複数のＰＵＣＣＨの信号を合成せずにＵＣＩを検出する処理を示す制御信号が入力され、物理上りリンク制御チャネル検出部３２９は制御部１０５からの指示に基づきＳＲ用の１個のＰＵＣＣＨの信号とＣＱＩ用の１個のＰＵＣＣＨの信号に対してそれぞれ単一の送信アンテナを用いて送信された複数のＰＵＣＣＨの信号を合成せずにＵＣＩを検出する処理を行なう。Ｃａｓｅ１０６において、基地局装置３の制御部１０５は、無線リソース制御部１０３からＡＣＫ／ＮＡＣＫ用の１個のＰＵＣＣＨのリソースの割り当てを示す制御信号と、ＳＲ用の１個のＰＵＣＣＨのリソースの割り当てを示す制御信号と、それぞれ単一の送信アンテナを用いて送信された複数のＰＵＣＣＨの信号を合成せずにＵＣＩを検出する処理を示す制御信号が入力され、物理上りリンク制御チャネル検出部３２９は制御部１０５からの指示に基づきＡＣＫ／ＮＡＣＫ用の１個のＰＵＣＣＨの信号とＳＲ用の１個のＰＵＣＣＨの信号に対してそれぞれ単一の送信アンテナを用いて送信された複数のＰＵＣＣＨの信号を合成せずにＵＣＩを検出する処理を行なう。Ｃａｓｅ１０７において、基地局装置３の制御部１０５は、無線リソース制御部１０３からＡＣＫ／ＮＡＣＫ用の１個のＰＵＣＣＨのリソースの割り当てを示す制御信号と、ＣＱＩ用の１個のＰＵＣＣＨのリソースの割り当てを示す制御信号と、ＳＲ用の１個のＰＵＣＣＨのリソースの割り当てを示す制御信号と、それぞれ単一の送信アンテナを用いて送信された複数のＰＵＣＣＨの信号を合成せずにＵＣＩを検出する処理を示す制御信号が入力され、物理上りリンク制御チャネル検出部３２９は制御部１０５からの指示に基づきＣＱＩ用の１個のＰＵＣＣＨの信号とＳＲ用の１個のＰＵＣＣＨの信号に対してそれぞれ単一の送信アンテナを用いて送信された複数のＰＵＣＣＨの信号を合成せずにＵＣＩを検出する処理を行なう。なお、Ｃａｓｅ１０７において、物理上りリンク制御チャネル検出部３２９は、ＣＱＩ用のＰＵＣＣＨの上りリンク物理リソースブロックペア内のＵＬ  ＲＳから信号（ＡＣＫ／ＮＡＣＫ）を復調する処理、またはＣａｓｅ１０４の場合とは異なる復号処理をＣＱＩ用のＰＵＣＣＨの信号に対して行なう。なお、移動局装置５においてＡＣＫ／ＮＡＣＫとＳＲとＣＱＩが同時発生した場合に、ＣＱＩは送信せず、ＡＣＫ／ＮＡＣＫとＳＲを送信するような設定がなされている場合、基地局装置３の制御部１０５は、無線リソース制御部１０３からＡＣＫ／ＮＡＣＫ用の１個のＰＵＣＣＨのリソースの割り当てを示す制御信号と、ＣＱＩ用の１個のＰＵＣＣＨのリソースの割り当てを示す制御信号と、ＳＲ用の１個のＰＵＣＣＨのリソースの割り当てを示す制御信号と、それぞれ単一の送信アンテナを用いて送信された複数のＰＵＣＣＨの信号を合成せずにＵＣＩを検出する処理を示す制御信号が入力されたら、Ｃａｓｅ１０６を想定して処理を行なう。
【０１１７】
図１２は、本発明の実施形態に係る移動局装置５の、ＰＵＣＣＨの送信を行う処理の一例を示すフローチャートである。制御部４０５は、ＰＵＣＣＨの送信方法に対してダイバーシチ送信方法が設定されているか否かを判定する（ステップＳ１０１）。制御部４０５は、ＰＵＣＣＨの送信方法に対してダイバーシチ送信方法が設定されていると判定した場合（ステップＳ１０１：YES）、ＵＣＩが発生したか否かを判定する（ステップＳ１０２）。制御部４０５は、ＵＣＩが発生したと判定した場合（ステップＳ１０２：YES）、発生したＵＣＩの個数は複数か否かを判定する（ステップＳ１０３）。制御部４０５は、発生したＵＣＩの個数は複数であると判定した場合（ステップＳ１０３：YES）、各ＰＵＣＣＨをそれぞれ異なる単一の送信アンテナを用いて送信するように制御する（ステップＳ１０４）。制御部４０５は、発生したＵＣＩの個数は複数ではないと判定した場合（ステップＳ１０３：NO）、ＰＵＣＣＨを複数の送信アンテナを用いてダイバーシチ送信方法で送信するように制御する（ステップＳ１０５）。制御部４０５は、ＵＣＩが発生しなかったと判定した場合（ステップＳ１０２：NO）、処理を終了する。制御部４０５は、ＰＵＣＣＨの送信方法に対してダイバーシチ送信方法が設定されていないと判定した場合（ステップＳ１０１：NO）、ＵＣＩが発生したか否かを判定する（ステップＳ１０６）。制御部４０５は、ＵＣＩが発生したと判定した場合（ステップＳ１０６：YES）、１本の送信アンテナを用いてＰＵＣＣＨを送信する（ステップＳ１０７）。制御部４０５は、ＵＣＩが発生しなかったと判定した場合（ステップＳ１０６：NO）、処理を終了する。制御部４０５は、ステップＳ１０４、ステップＳ１０５、ステップＳ１０７の後、処理を終了する。なお、ここで説明した処理はサブフレーム毎に行なわれる。
【０１１８】
なお、図１１で示すＣａｓｅ１０７の方法、Ｃａｓｅ１０８の方法が用いられない場合、移動局装置５は、管理部４０５１でＡＣＫ／ＮＡＣＫとＣＱＩとＳＲが同時に発生した場合、Ｃａｓｅ１０６の方法を用いてＡＣＫ／ＮＡＣＫとＳＲを送信し、ＣＱＩを送信しない。言い換えると、移動局装置５の制御部４０５は、管理部４０５１において移動局装置５が有する複数の送信アンテナ４１１の総数よりも多い数のＵＣＩが発生した場合、送信アンテナ４１１の総数と等しい数のＵＣＩを選択し、選択したＵＣＩをそれぞれ異なるＰＵＣＣＨのリソースに配置して、各ＰＵＣＣＨをそれぞれ単一の送信アンテナ４１１を用いた送信方法で送信するように送信処理部を制御する。図１１では、移動局装置５の送信アンテナ４１１の数が２本の場合について示したが、送信アンテナ４１１の数が３本の場合、移動局装置５はＡＣＫ／ＮＡＣＫ、ＣＱＩ、ＳＲの３個のＵＣＩをそれぞれ異なるＰＵＣＣＨのリソースに配置して、各ＰＵＣＣＨをそれぞれ単一の送信アンテナ４１１を用いた送信方法で送信するように制御することができる。また、本発明の実施形態ではＡＣＫ／ＮＡＣＫ、ＣＱＩ、ＳＲの３種類のＵＣＩが用いられる場合について説明してきたが、更に異なる種類のＵＣＩが用いられ、全ての種類のＵＣＩが同時に発生した場合、３本の送信アンテナ４１１を備える移動局装置５は何れかのＵＣＩを送信せず、３個のＵＣＩを選択して送信する。なお、制御部４０５は、予め決められた規則に従って、ＵＣＩの種類に応じて送信処理部４０７で送信するＵＣＩを選択する。つまり、制御部４０５は、ＵＣＩの種類に応じて優先度を設定して、優先度の高いＵＣＩから選択するようにする。本実施形態の制御部４０５では、ＡＣＫ／ＮＡＣＫ、ＣＱＩ、ＳＲの中でＡＣＫ／ＮＡＣＫに最も高い優先度を設定し、ＳＲに次に高い優先度を設定し、ＣＱＩに最も低い優先度を設定する。
【０１１９】
以上のように、本発明の実施形態では、移動局装置５は、ＵＣＩを配置したＰＵＣＣＨの送信方法として複数の送信アンテナを用いたダイバーシチ送信方法、または単一の送信アンテナを用いた送信方法の何れかの送信方法を同時に発生したＵＣＩの個数に応じて制御することにより、移動局装置は送信するＵＣＩの個数に適した送信方法でＵＣＩを送信することができ、効率良くＵＣＩを送信することができる。より詳細には、移動局装置５は、同時に発生したＵＣＩの個数が１個の場合、ＵＣＩを配置したＰＵＣＣＨを複数の送信アンテナを用いたダイバーシチ送信方法で送信するように制御し、同時に発生したＵＣＩの個数が複数個の場合、異なるＵＣＩを配置した各ＰＵＣＣＨをそれぞれ異なる送信アンテナを使用して、単一の送信アンテナを用いた送信方法で送信するように制御することにより、移動局装置５はＵＣＩをマルチキャリア信号で送信することを回避しつつ、可能な限りダイバーシチ送信方法でＵＣＩを送信することができ、効率良くＵＣＩを送信することができる。移動局装置５は、各送信アンテナからリソースが周波数領域で非連続なＰＵＣＣＨを同時に送信されることを回避することができるため、送信電力に大きなバックオフをとる必要がなくなり、その結果、平均的な送信電力が小さくなることは回避され、信号の品質を適したレベルに維持することができる。
【０１２０】
本発明の実施形態では、ＵＣＩはＡＣＫ／ＮＡＣＫ、ＳＲ、ＣＱＩの何れかの種類の上りリンク制御情報であり、移動局装置５はＡＣＫ／ＮＡＣＫ、ＳＲ、ＣＱＩの中で同時に発生したＵＣＩの個数に適した送信方法でＵＣＩを送信することができ、効率良くＵＣＩを送信することができる。本発明の実施形態では、移動局装置５は、送信アンテナの総数よりも多い数のＵＣＩが同時に発生した場合、送信アンテナの総数と等しい数のＵＣＩを選択して、送信することにより、移動局装置５はＵＣＩをマルチキャリア信号で送信することを回避しつつ、可能な限りの個数のＵＣＩを送信することができ、効率良くＵＣＩを送信することができる。移動局装置５は、予め決められた規則に従って、ＵＣＩの種類に応じて送信するＵＣＩを選択することにより、優先度の高い種類のＵＣＩを確実に送信することができ、効率良くＵＣＩを送信することができる。
【０１２１】
なお、本発明の上記実施形態では、移動局装置５の送信アンテナ４１１の本数が２本、または３本の場合について説明したが、移動局装置５の送信アンテナ４１１の本数が４本以上の場合にも上記で説明した処理と同様の処理を行なうことにより本発明を適用することができる。
【０１２２】
なお、本発明の上記実施形態では、３種類のＵＣＩ（ＡＣＫ／ＮＡＣＫ、ＳＲ、ＣＱＩ）が用いられる場合について説明してきたが、４種類以上のＵＣＩが用いられる場合についても上記で説明した処理と同様の処理を行なうことにより本発明は適用できる。
【０１２３】
以上説明した本発明の特徴的な手段は、集積回路に機能を実装し、制御することによっても実現することができる。すなわち、本発明の集積回路は、移動局装置５に実装されることにより、移動局装置５に複数の機能を発揮させる集積回路であって、基地局装置３に信号を複数の送信アンテナを用いて送信する機能と、上りリンク制御情報の発生を管理する機能と、発生した上りリンク制御情報を上りリンク制御チャネルに配置する機能と、配置された前記上りリンク制御チャネルを複数の送信アンテナを用いたダイバーシチ送信方法、または単一の送信アンテナを用いた送信方法で送信する機能と、同時に発生した前記上りリンク制御情報の個数に応じて用いる送信方法を制御する機能と、を含む一連の機能を、前記移動局装置５に発揮させることを特徴とする。
【０１２４】
このように、本発明の集積回路を用いた移動局装置５は、ＵＣＩを配置したＰＵＣＣＨの送信方法として複数の送信アンテナを用いたダイバーシチ送信方法、または単一の送信アンテナを用いた送信方法の何れかの送信方法を同時に発生したＵＣＩの個数に応じて制御することにより、移動局装置は送信するＵＣＩの個数に適した送信方法でＵＣＩを送信することができ、効率良くＵＣＩを送信することができる。
【０１２５】
本発明に関わる移動局装置５および基地局装置３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１２６】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。また、上述した実施形態における移動局装置５および基地局装置３の一部、または全部を典型的には集積回路であるＬＳＩとして実現してもよい。移動局装置５および基地局装置３の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１２７】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１２８】
３  基地局装置
５（Ａ〜Ｃ）  移動局装置
１０１  受信処理部
１０３  無線リソース制御部
１０５  制御部
１０７  送信処理部
１０９  受信アンテナ
１１１  送信アンテナ
２０１  物理下りリンク共用チャネル処理部
２０３  物理下りリンク制御チャネル処理部
２０５  下りリンクパイロットチャネル処理部
２０７  多重部
２０９  ＩＦＦＴ部
２１１  ＧＩ挿入部
２１３  Ｄ／Ａ部
２１５  送信ＲＦ部
２１９  ターボ符号部
２２１  データ変調部
２２３  畳み込み符号部
２２５  ＱＰＳＫ変調部
３０１  受信ＲＦ部
３０３  Ａ／Ｄ部
３０９  シンボルタイミング検出部
３１１  ＧＩ除去部
３１３  ＦＦＴ部
３１５  サブキャリアデマッピング部
３１７  伝搬路推定部
３１９  伝搬路等化部（ＰＵＳＣＨ用）
３２１  伝搬路等化部（ＰＵＣＣＨ用）
３２３  ＩＤＦＴ部
３２５  データ復調部
３２７  ターボ復号部
３２９  物理上りリンク制御チャネル検出部
４０１  受信処理部
４０３  無線リソース制御部
４０５  制御部
４０７  送信処理部
４０９  受信アンテナ
４１１  送信アンテナ
５０１  受信ＲＦ部
５０３  Ａ／Ｄ部
５０５  シンボルタイミング検出部
５０７  ＧＩ除去部
５０９  ＦＦＴ部
５１１  多重分離部
５１３  伝搬路推定部
５１５  伝搬路補償部（ＰＤＳＣＨ用）
５１７  物理下りリンク共用チャネル復号部
５１９  伝搬路補償部（ＰＤＣＣＨ用）
５２１  物理下りリンク制御チャネル復号部
５２３  データ復調部
５２５  ターボ復号部
５２７  ＱＰＳＫ復調部
５２９  ビタビデコーダ部
６０５  Ｄ／Ａ部
６０７  送信ＲＦ部
６１１  ターボ符号部
６１３  データ変調部
６１５  ＤＦＴ部
６１７  上りリンクパイロットチャネル処理部
６１９  物理上りリンク制御チャネル処理部
６２１  サブキャリアマッピング部
６２３  ＩＦＦＴ部
６２４  乗算部
６２５  ＧＩ挿入部
４０５１  管理部
４０５３  配置部
【図１】
2012005034.tif 000003
【図２】
2012005034.tif 000004
【図３】
2012005034.tif 000005
【図４】
2012005034.tif 000006
【図５】
2012005034.tif 000007
【図６】
2012005034.tif 000008
【図７】
2012005034.tif 000009
【図８】
2012005034.tif 000010
【図９】
2012005034.tif 000011
【図１０】
2012005034.tif 000012
【図１１】
2012005034.tif 000013
【図１２】
2012005034.tif 000014
【図１３】
2012005034.tif 000015
【図１４】
2012005034.tif 000016
【図１５】
2012005034.tif 000017